(57)【特許請求の範囲】
【請求項１】
親機と２線ケーブルを介して接続され、前記親機との間で時分割複信によりパケット信号を送受信するドアホンシステムの子機であって、
所定の位置にプリアンブルが配置されたデータを受信する受信部と、
前記受信データのビットレートのｎ倍（ｎは１以上）に対応する第１周波数のクロックを出力する第１クロック生成部と、
前記第１周波数のクロックを基準に生成した、前記受信データのビットレートに対応する第２周波数のクロックを出力する第２クロック生成部と、
前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、
前記第２周波数のクロックを用いて前記デューティ比補正部から出力された受信データを再生するデータ再生部と、
を具備し、
前記受信データのプリアンブルは、前記繰り返しパターンの後にユニークパターンを有し、
前記デューティ比補正部は、
前記繰り返しパターンの期間中に、前記デューティ比の補正の要否を判断し、
前記デューティ比の補正が必要な場合に、前記受信データに対して、前記プリアンブルのユニークパターンの前からデューティ比の補正を行う、
子機。
【請求項２】
前記デューティ比補正部は、
立上りエッジから次の立下りエッジまでの区間における前記第１周波数のクロック数が下限閾値以下のパターンおよび上限閾値以上のパターンを計数するクロック数検出部と、
基準パターン総数において前記下限閾値以下のパターン数あるいは前記上限閾値以上のパターン数が補正基準以上であるか否かにより前記受信データのデューティ比の補正の要否を判定する補正要否判定部と、
前記下限閾値以下のパターン数が前記補正基準以上である場合に前記受信データの立下りを補正クロック数だけ遅延させることにより前記受信データのデューティ比を補正し、前記上限閾値以上のパターン数が前記補正基準以上である場合に前記受信データの立上りを補正クロック数だけ遅延させることにより前記受信データのデューティ比を補正するタイミング調整部と、を有する、
請求項１に記載の子機。
【請求項３】
前記第２クロック生成部は、受信データから抽出した受信クロックを前記第２周波数のクロックとして使用する、
請求項１または２に記載の子機。
【請求項４】
子機と２線ケーブルを介して接続され、前記子機との間で時分割複信によりパケット信号を送受信するドアホンシステムの親機であって、
所定の位置にプリアンブルが配置されたデータを受信する受信部と、
前記受信データのビットレートのｎ倍（ｎは１以上）に対応する第１周波数のクロックを出力する第１クロック生成部と、
前記第１周波数のクロックを基準に生成した、前記受信データのビットレートに対応する第２周波数のクロックを出力する第２クロック生成部と、
前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、
前記第２周波数のクロックを用いて前記デューティ比補正部から出力された受信データを再生するデータ再生部と、
を具備し、
前記受信データのプリアンブルは、前記繰り返しパターンの後にユニークパターンを有し、
前記デューティ比補正部は、
前記繰り返しパターンの期間中に、前記デューティ比の補正の要否を判断し、
前記デューティ比の補正が必要な場合に、前記受信データに対して、前記プリアンブルのユニークパターンの前からデューティ比の補正を行う、
親機。
【請求項５】
前記デューティ比補正部は、
立上りエッジから次の立下りエッジまでの区間における前記第１周波数のクロック数が下限閾値以下のパターンおよび上限閾値以上のパターンを計数するクロック数検出部と、
基準パターン総数において前記下限閾値以下のパターン数あるいは前記上限閾値以上のパターン数が補正基準以上であるか否かにより前記受信データのデューティ比の補正の要否を判定する補正要否判定部と、
前記下限閾値以下のパターン数が前記補正基準以上である場合に前記受信データの立下りを補正クロック数だけ遅延させることにより前記受信データのデューティ比を補正し、前記上限閾値以上のパターン数が前記補正基準以上である場合に前記受信データの立上りを補正クロック数だけ遅延させることにより前記受信データのデューティ比を補正するタイミング調整部と、を有する、
請求項４に記載の親機。
【請求項６】
接続機器の１つから受信した受信データを、前記デューティ比補正部を通過させて、前記データ再生部に出力するとともに、他の接続機器に同報送信するルーティング制御部を更に有する、
請求項４または５に記載の親機。
【請求項７】
前記第２クロック生成部は、受信データから抽出した受信クロックを前記第２周波数のクロックとして使用する、
請求項４から６のいずれかに記載の親機。
【請求項８】
親機と子機とからなるドアホンシステムに増設され、前記親機と２線ケーブルを介して接続され、前記親機との間で時分割複信によりパケット信号を送受信するドアホンシステムのモニタであって、
所定の位置にプリアンブルが配置されたデータを受信する受信部と、
前記受信データのビットレートのｎ倍（ｎは１以上）に対応する第１周波数のクロックを出力する第１クロック生成部と、
前記第１周波数のクロックを基準に生成した、前記受信データのビットレートに対応する第２周波数のクロックを出力する第２クロック生成部と、
前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、
前記第２周波数のクロックを用いて前記デューティ比補正部から出力された受信データを再生するデータ再生部と、
を具備し、
前記受信データのプリアンブルは、前記繰り返しパターンの後にユニークパターンを有し、
前記デューティ比補正部は、
前記繰り返しパターンの期間中に、前記デューティ比の補正の要否を判断し、
前記デューティ比の補正が必要な場合に、前記受信データに対して、前記プリアンブルのユニークパターンの前からデューティ比の補正を行う、
モニタ。
【請求項９】
前記デューティ比補正部は、
立上りエッジから次の立下りエッジまでの区間における前記第１周波数のクロック数が下限閾値以下のパターンおよび上限閾値以上のパターンを計数するクロック数検出部と、
基準パターン総数において前記下限閾値以下のパターン数あるいは前記上限閾値以上のパターン数が補正基準以上であるか否かにより前記受信データのデューティ比の補正の要否を判定する補正要否判定部と、
前記下限閾値以下のパターン数が前記補正基準以上である場合に前記受信データの立下りを補正クロック数だけ遅延させることにより前記受信データのデューティ比を補正し、前記上限閾値以上のパターン数が前記補正基準以上である場合に前記受信データの立上りを補正クロック数だけ遅延させることにより前記受信データのデューティ比を補正するタイミング調整部と、を有する、
請求項８に記載のモニタ。
【請求項１０】
前記第２クロック生成部は、受信データから抽出した受信クロックを前記第２周波数のクロックとして使用する、
請求項８または９に記載のモニタ。
【請求項１１】
親機と子機とが２線ケーブルを介して接続され、前記親機と前記子機との間で時分割複信によりパケット信号を送受信するドアホンシステムの通信方法であって、
送信側装置が、
繰り返しパターンの後にユニークパターンを有するプリアンブルが所定の位置に配置されたデータを送信し、
受信側装置が、
前記送信側装置から送信されたデータを受信し、
前記受信データのビットレートのｎ倍（ｎは１以上）に対応する第１周波数のクロックを用いて前記受信データのサンプリングを行い、
前記第１周波数のクロックを使用し、前記繰り返しパターンのデューティ比を計測し、
前記繰り返しパターンのデューティ比が許容値を超えている場合には、前記プリアンブルのユニークパターンの前から、前記受信データのデューティ比を前記許容値の範囲内となるように補正し、
前記第１周波数のクロックを基準に生成した、前記受信データのビットレートに対応する第２周波数のクロックを用いて前記受信データを再生する、
通信方法。
【発明の詳細な説明】
【技術分野】
【０００１】
本開示は、ドアホンシステムの子機、親機、モニタおよび当該ドアホンシステムの通信方法に関する。
【背景技術】
【０００２】
近年、住宅等において、例えば、宅外の玄関先に設置されたカメラ付きの子機（以下、「玄関子機」という）と、玄関子機のカメラで撮像された映像をモニタに表示する宅内の親機（以下、「ドアホン親機」という）と、からなるドアホンシステムが広く普及している。また、ドアホンシステムに、モニタを増設する場合もある（以下、「増設モニタ」という）。
【０００３】
一般的に、ドアホンシステムは、玄関子機とドアホン親機とが２線ケーブルにより接続される。また、ドアホン親機と増設モニタとが２線ケーブルにより接続される。特許文献１には、２線ケーブルで接続された玄関子機とドアホン親機との間でパケットを送受信するドアホンシステムが記載されている。
【０００４】
ドアホン親機は、玄関子機から受信したデータを、増設モニタにも転送する。これにより、同一の画像データが、ドアホン親機と増設モニタに同報送信され、ドアホン親機と増設モニタは、同一の画像データを表示できる。
【先行技術文献】
【特許文献】
【０００５】
【特許文献１】特開２００７−１２４２２７号公報
【発明の概要】
【発明が解決しようとする課題】
【０００６】
２線ケーブルの長さが変化すると、ケーブルのインピーダンスが変化し、受信側装置において、受信波形の立上り特性および立下り特性が変化する。また、受信側装置のバスドライバの入出力特性の歪み、あるいは受信波形の立上り、立下がりの受信ヒステリシスの差等により、受信波形のデューティ比が理想値（５０％）からずれることが考えられる。従来技術では、この受信波形のデューティ比のずれに起因する復号誤りに対する対策が検討されていない。
【０００７】
本開示の目的は、受信波形のデューティ比にずれが生じていても受信データを正しく復号することができるドアホンシステムの子機、親機、モニタおよびドアホンシステムの通信方法を提供することである。
【課題を解決するための手段】
【０００８】
本開示の子機は、親機と２線ケーブルを介して接続され、前記親機との間で時分割複信によりパケット信号を送受信するドアホンシステムの子機であって、所定の位置にプリアンブルが配置されたデータを受信する受信部と、前記受信データのビットレートのｎ倍（ｎは１以上）に対応する第１周波数のクロックを出力する第１クロック生成部と、前記第１周波数のクロックを基準に生成した、前記受信データのビットレートに対応する第２周波数のクロックを出力する第２クロック生成部と、前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、前記第２周波数のクロックを用いて前記デューティ比補正部から出力された受信データを再生するデータ再生部と、を具備し、前記受信データのプリアンブルは、前記繰り返しパターンの後にユニークパターンを有し、前記デューティ比補正部は、前記繰り返しパターンの期間中に、前記デューティ比の補正の要否を判断し、前記デューティ比の補正が必要な場合に、前記受信データに対して、前記プリアンブルのユニークパターンの前からデューティ比の補正を行う。
【０００９】
本開示の親機は、子機と２線ケーブルを介して接続され、前記子機との間で時分割複信によりパケット信号を送受信するドアホンシステムの親機であって、所定の位置にプリアンブルが配置されたデータを受信する受信部と、前記受信データのビットレートのｎ倍（ｎは１以上）に対応する第１周波数のクロックを出力する第１クロック生成部と、前記第１周波数のクロックを基準に生成した、前記受信データのビットレートに対応する第２周波数のクロックを出力する第２クロック生成部と、前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、前記第２周波数のクロックを用いて前記デューティ比補正部から出力された受信データを再生するデータ再生部と、を具備し、前記受信データのプリアンブルは、前記繰り返しパターンの後にユニークパターンを有し、前記デューティ比補正部は、前記繰り返しパターンの期間中に、前記デューティ比の補正の要否を判断し、前記デューティ比の補正が必要な場合に、前記受信データに対して、前記プリアンブルのユニークパターンの前からデューティ比の補正を行う。
【００１０】
本開示のモニタは、親機と子機とからなるドアホンシステムに増設され、前記親機と２線ケーブルを介して接続され、前記親機との間で時分割複信によりパケット信号を送受信するドアホンシステムのモニタであって、所定の位置にプリアンブルが配置されたデータを受信する受信部と、前記受信データのビットレートのｎ倍（ｎは１以上）に対応する第１周波数のクロックを出力する第１クロック生成部と、前記第１周波数のクロックを基準に生成した、前記受信データのビットレートに対応する第２周波数のクロックを出力する第２クロック生成部と、前記第１周波数のクロックを使用し、前記プリアンブルの繰り返しパターンのデューティ比を計測し、前記繰り返しパターンのデューティ比が許容値を超えている場合には、前記受信データのデューティ比を前記許容値の範囲内となるように補正するデューティ比補正部と、前記第２周波数のクロックを用いて前記デューティ比補正部から出力された受信データを再生するデータ再生部と、を具備し、前記受信データのプリアンブルは、前記繰り返しパターンの後にユニークパターンを有し、前記デューティ比補正部は、前記繰り返しパターンの期間中に、前記デューティ比の補正の要否を判断し、前記デューティ比の補正が必要な場合に、前記受信データに対して、前記プリアンブルのユニークパターンの前からデューティ比の補正を行う。
【００１１】
本開示の通信方法は、親機と子機とが２線ケーブルを介して接続され、前記親機と前記子機との間で時分割複信によりパケット信号を送受信するドアホンシステムの通信方法であって、送信側装置が、繰り返しパターンの後にユニークパターンを有するプリアンブルが所定の位置に配置されたデータを送信し、受信側装置が、前記送信側装置から送信されたデータを受信し、前記受信データのビットレートのｎ倍（ｎは１以上）に対応する第１周波数のクロックを用いて前記受信データのサンプリングを行い、前記第１周波数のクロックを使用し、前記繰り返しパターンのデューティ比を計測し、前記繰り返しパターンのデューティ比が許容値を超えている場合には、前記プリアンブルのユニークパターンの前から、前記受信データのデューティ比を前記許容値の範囲内となるように補正し、前記第１周波数のクロックを基準に生成した、前記受信データのビットレートに対応する第２周波数のクロックを用いて前記受信データを再生する。
【発明の効果】
【００１２】
本開示によれば、受信波形のデューティ比を検出して補正することができるので、受信波形のデューティ比にずれが生じていても、受信データを正しく復号することができる。
【図面の簡単な説明】
【００１３】
【図１】本開示の一実施の形態に係るドアホンシステムの構成を示すシステム構成図
【図２Ａ】本開示の一実施の形態に係るフレーム構成、スロット構成を示す図
【図２Ｂ】本開示の一実施の形態に係る割り込み信号の構成を示す図
【図３】本開示の一実施の形態に係る玄関子機の構成を示すブロック図
【図４】本開示の一実施の形態に係るドアホン親機の構成を示すブロック図
【図５】本開示の一実施の形態に係る増設モニタの構成を示すブロック図
【図６】パケットデータ（１ビット）に対する変調処理の一例を示す図
【図７】パケットデータ（複数ビット）に対する変調処理の一例を示す図
【図８】本開示の一実施の形態において使用されるプリアンブルデータの一例を示す図
【図９】本開示の一実施の形態に係る玄関子機の同期検出部の内部構成を示すブロック図
【図１０】本開示の一実施の形態に係る玄関子機の同期検出処理の一例を示す図
【図１１】本開示の一実施の形態に係る玄関子機のユニークパターンの検出を説明する図
【図１２】本開示の一実施の形態に係る玄関子機のデコードタイミングを示す図
【図１３】本開示の一実施の形態に係る同期検出処理の動作の一例を示すフローチャート
【図１４】本開示の一実施の形態に係る玄関子機の同期検出部の内部構成のバリエーションを示すブロック図
【図１５】本開示の一実施の形態に係る同期検出処理のバリエーションの動作の一例を示すフローチャート
【図１６】本開示の一実施の形態に係る初期登録までのシーケンス図
【図１７】本開示の一実施の形態に係る待機状態から通信状態までのシーケンス図
【図１８】本開示の一実施の形態に係る玄関子機のデューティ比補正部の内部構成を示すブロック図
【図１９】本開示の一実施の形態に係る玄関子機のデューティ比補正処理の一例を示す図
【図２０】本開示の一実施の形態に係るデューティ比補正処理の動作の一例を示すフローチャート
【図２１】本開示の一実施の形態に係る玄関子機の動作の一例を示すフローチャート
【図２２】本開示の一実施の形態に係るドアホン親機の動作の一例を示すフローチャート
【図２３】本開示の一実施の形態に係るドアホン親機の通常動作時のルーティング制御の具体例を示す図
【図２４】本開示の一実施の形態に係るドアホン親機のルーティング制御部の内部構成を示す図
【図２５】本開示の一実施の形態に係るドアホン親機の初期登録時のルーティング制御の具体例を示す図
【発明を実施するための形態】
【００１４】
以下、本開示の実施の形態について、図面を参照して詳細に説明する。
【００１５】
＜システムの概要＞
まず、本開示の一実施の形態に係るドアホンシステムの概要について、図１を用いて説明する。図１に示すように、ドアホンシステム１は、玄関子機１００と、ドアホン親機２００と、から構成される。なお、図１では、ドアホン親機２００に３台の玄関子機１００−１、１００−２、１００−３が接続している場合を例示している。また、ドアホンシステム１には、増設モニタ３００を追加しても良い。さらに、ドアホンシステム１は、他のドアホンシステムと接続することもできる。
【００１６】
玄関子機１００は、例えば、住宅等の玄関先に設けられる。ドアホン親機２００および増設モニタ３００は、例えば、住宅等の宅内に設けられ、壁に固定されたり、テーブルまたは台の上等に載置されたりする。玄関子機１００とドアホン親機２００とは、１対の銅線から成る２線ケーブルにより接続されている。増設モニタ３００は、２線ケーブルによりドアホン親機２００と接続される。
【００１７】
ドアホン親機２００は、玄関子機１００と通信を行い、玄関子機１００から映像データ、音声データおよび制御データを受信し、音声データおよび制御データを送信する。また、ドアホン親機２００は、増設モニタ３００と通信を行い、玄関子機１００から受信した映像データ、音声データおよび制御データを増設モニタ３００に転送し、増設モニタ３００から受信した音声データおよび制御データを玄関子機１００に転送する。
【００１８】
なお、以下の説明において、玄関子機１００あるいは増設モニタ３００からドアホン親機２００への方向を「上り方向」といい、玄関子機１００あるいは増設モニタ３００から上り方向に送信されるパケット、信号をそれぞれ「上りパケット」、「上り信号」という。また、ドアホン親機２００から玄関子機１００あるいは増設モニタ３００への方向を「下り方向」といい、ドアホン親機２００から下り方向に送信されるパケット、信号をそれぞれ「下りパケット」、「下り信号」という。
【００１９】
＜フレーム構成、スロット構成＞
次に、本実施の形態に係る同期通信時のフレーム構成、スロット構成について図２Ａを用いて説明する。図２Ａに示すように、各フレームは、48000bitの領域を有し、10ms周期、4.8Mbpsのビットレートであり、２４スロットに分割される。したがって、各スロットは、2000bit=250byteの領域を有し、0.416ms周期、4.8Mbpsのビットレートになる。
【００２０】
各スロットは、52byteのガードスペース（Guard）、4byteのプリアンブルフィールド、2byteのシンクフィールド（Sync）、32byteの制御データフィールド、160byteのユーザデータフィールドに分けられている。
【００２１】
ガードスペースは、伝播遅延時間差やクロックジッタ等によるスロットの衝突を避けるための時間である。プリアンブルフィールドには、所定のユニークパターンを有するプリアンブルデータ（後述）が付加される。シンクフィールドには、所定のシンクパターンが付加される。制御データフィールドには、制御データが付加される。ユーザデータフィールドには、画像データおよび音声データが付加される。ここでシンクパターンとは、シンクフィールドに配置された既知のデータあるいはデータ列であって、受信データ受信時の同期を確立するために用いられ、受信データが正確なタイミングで受信されたことを確認するための予め規定した既知のデータパターンである。
【００２２】
＜割り込み信号の構成＞
次に、本実施の形態に係る非同期通信時の割り込み信号の構成について図２Ｂを用いて説明する。
【００２３】
図２Ｂに示すように、割り込み信号は、4byteのプリアンブルフィールド、2byteのシンクフィールド（Sync）、32byteの制御データフィールドに分けられている。さらに、図２Ｂに示す割り込み信号には、将来の拡張用として、30byteのユーザデータフィールドが設けられている。
【００２４】
割り込み信号のプリアンブルデータおよびシンクパターンは、図２Ａに示した同期通信時のスロットと同一のものである。これにより、同期通信時と非同期通信時とで受信部等を共用できるため、コストを抑えることができる。
【００２５】
割り込み信号の制御データフィールドには、メッセージ種別（同期要求等）、送信元機器番号（ＩＤ）等の制御情報が書き込まれる。割り込み信号のユーザデータフィールドは、機器異常情報（機器の異常を検知したことを示す情報）等、メッセージ種別に応じた詳細情報を通知するフィールドとして使用しても良い。
【００２６】
なお、図２Ｂに示す割り込み信号は、接続機器の初期登録時にも使用される。
【００２７】
＜玄関子機の構成＞
次に、玄関子機１００の構成について、図３のブロック図を用いて説明する。図３に示すように、玄関子機１００は、ケーブル接続部１０１、キー入力部１０２、スピーカ１０３、マイク１０４、音声Ｉ／Ｆ（インターフェイス）部１０５、カメラ部１０６および制御部１０７を有する。制御部１０７は、内部に、第１クロック生成部１３１、パケット生成部１３２、データ再生部１３３、接続状態検出部１３４を有する。また、玄関子機１００は、送信データ処理部１０８、送信データ反転部１０９、送信ドライバ１１０、受信ドライバ１１１、受信データ反転部１１２、同期検出部１１３、第２クロック生成部１１４、識別子記憶部１１５、デューティ比補正部１１６を有する。
【００２８】
ケーブル接続部１０１は、２線ケーブル用の接続端子を含み、２線ケーブルの玄関側の一端と、受信ドライバ１１１および送信ドライバ１１０との間を、信号を伝送可能な状態で接続する。なお、２線ケーブルの他端は、ドアホン親機２００に接続される。
【００２９】
キー入力部１０２は、呼出ボタンを含み、呼出ボタンが操作されたとき、その旨を示す信号を制御部１０７に出力する。
【００３０】
スピーカ１０３は、音声Ｉ／Ｆ部１０５から出力されたアナログ音声データを、音声に変換して出力する。
【００３１】
マイク１０４は、周囲の音声を集音してアナログ音声データに変換し、音声Ｉ／Ｆ部１０５に出力する。
【００３２】
音声Ｉ／Ｆ部１０５は、制御部１０７から出力されたデジタル音声データを、アナログ音声データに変換し、信号レベルを調整して、スピーカ１０３に出力する。また、音声Ｉ／Ｆ部１０５は、マイク１０４から出力されたアナログ音声データを、信号レベルを調整し、デジタル音声データに変換して、制御部１０７に出力する。かかるアナログ／デジタル変換は、Ａ／Ｄ，Ｄ／Ａ変換器（図示せず）により行われる。
【００３３】
なお、音声Ｉ／Ｆ部１０５は、マイク１０４から出力されたアナログ音声データをデジタル変換したデータに対して、所定の音声圧縮処理を行って得られるデータを、デジタル音声データとして制御部１０７に出力してもよい。また、音声Ｉ／Ｆ部１０５は、制御部１０７から出力されたデジタル音声データが所定の音声圧縮処理を行って得られたデータである場合、当該データに対して所定の音声伸張処理を行ってから、デジタル／アナログ変換を行う。
【００３４】
カメラ部１０６は、デジタルカメラを含み、玄関の映像を撮影し、デジタル映像データを生成して、制御部１０７に出力する。なお、カメラ部１０６は、エンコーダモジュールを搭載していてもよい。すなわち、カメラ部１０６は、デジタルカメラから出力された映像データに対してＨ.２６４等の所定の動画圧縮処理を行って得られるデータを、デジタル映像データとして制御部１０７に出力してもよい。
【００３５】
制御部１０７は、玄関子機１００の各部の制御を行う。また、制御部１０７は、送信を許可する送信区間、および、受信を許可する受信区間を指示する切り替え制御信号（SW CON）を送信ドライバ１１０および受信ドライバ１１１に出力する。
【００３６】
制御部１０７の第１クロック生成部１３１は、受信データをサンプリングするためのクロックであって、水晶発振を基準に、受信データのビットレートのｎ倍（ｎは１以上）に対応する第１周波数（例えば、48MHz（ｎ＝１０））のクロック（CLK）を生成し、同期検出部１１３、第２クロック生成部１１４、デューティ比補正部１１６に出力する。
【００３７】
制御部１０７のパケット生成部１３２は、映像付き通話を実現するための上りパケットを生成する。具体的には、パケット生成部１３２は、音声Ｉ／Ｆ部１０５から出力されたデジタル音声データおよびカメラ部１０６から出力されたデジタル映像データを適宜分割して各スロットのユーザデータフィールドに書き込み、自機（玄関子機１００）に固有の識別子（以下、「自機ＩＤｓｌａｖｅ」という）および通信相手のドアホン親機２００の識別子（以下、「ＩＤｍａｓｔｅｒ」という）を含む制御データを各スロットの制御データフィールドに書き込む。さらに、パケット生成部１３２は、各スロットに、プリアンブルデータ、シンクパターンを書き込み、上りパケット（送信データ）を生成する。さらに、パケット生成部１３２は、送信用のイネーブル信号（SSCS）および送信用の第２周波数（例えば、4.8MHz）のクロック（SSCK）を生成する。そして、パケット生成部１３２は、上りパケットを、送信用のイネーブル信号（SSCS）およびクロック（SSCK）と同期させて、送信データ処理部１０８に出力する。
【００３８】
なお、玄関子機１００とドアホン親機２００との間でデータが送受されない待機状態では、パケット生成部１３２は、上りパケットを生成しない。また、待機状態（非同期通信時）において、呼出ボタンが操作される等の所定のイベントが発生すると、パケット生成部１３２は、プリアンブルデータ、シンクパターン、制御データを書き込んだ上りパケット（割り込み信号）を生成する。なお、非同期通信時の割り込み信号において使用されるプリアンブルとシンクパターンは、同期通信時に使用されるものと同一である。
【００３９】
制御部１０７のデータ再生部１３３は、同期検出部１１３からイネーブル信号（SSCS）を入力すると、第２クロック生成部１１４から出力された第２周波数のクロック（SSCK）を使用し、デューティ比補正部１１６から出力された下り信号を復調して下りパケットを取得する。そして、データ再生部１３３は、下りパケットに含まれるデジタル音声データを音声Ｉ／Ｆ部１０５に出力し、下りパケット（受信データ）に含まれるシンクパターンを接続状態検出部１３４に出力する。なお、データ再生部１３３は、初期登録時に、下りパケットに含まれる自機ＩＤｓｌａｖｅおよびＩＤｍａｓｔｅｒを識別子記憶部１１５に記憶させる。
【００４０】
また、データ再生部１３３は、待機状態（非同期通信時）において所定のイベントが発生し、下り信号（割り込み信号）を入力した場合、下り信号を復調して下りパケットを取得し、下りパケットに含まれるシンクパターンを接続状態検出部１３４に出力する。データ再生部１３３は、接続状態検出部１３４において正確に割り込み信号を捕捉できたことを確認した後、割り込み信号の制御データを抽出する。制御データが同期要求であれば、玄関子機１００は、ドアホン親機２００との同期処理に移行する。
【００４１】
制御部１０７の接続状態検出部１３４は、２線ケーブルが正接続である場合のチェック用シンクパターン（以下、「正接続チェック用シンクパターン」という（例えば、16bit全てが「０」））、および、正接続チェック用シンクパターンの逆のパターンであって、２線ケーブルが逆接続である場合のチェック用シンクパターン（以下、「逆接続チェック用シンクパターン」という（例えば、16bit全てが「１」））を記憶している。そして、接続状態検出部１３４は、データ再生部１３３から出力された受信データのシンクパターンを、正接続チェック用シンクパターンおよび逆接続チェック用シンクパターンと照合する。接続状態検出部１３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部１３４は、判定結果を示す反転制御信号（INV CON）を、送信データ反転部１０９および受信データ反転部１１２に出力する。
【００４２】
送信データ処理部１０８は、パケット生成部１３２からイネーブル信号（SSCS）を入力すると、パケット生成部１３２から出力された第２周波数のクロック（SSCK）を使用し、パケット生成部１３２から出力された上りパケットのデータに対して変調処理を行って上り信号を生成し、送信データ反転部１０９に出力する。なお、送信データ処理部１０８の変調処理の詳細（具体例）については後述する。
【００４３】
送信データ反転部１０９は、接続状態検出部１３４において２線ケーブルが逆接続であると判定された場合、送信データ処理部１０８から出力された上り信号を反転させて送信ドライバ１１０に出力する。一方、送信データ反転部１０９は、接続状態検出部１３４において２線ケーブルが正接続であると判定された場合、送信データ処理部１０８から出力された上り信号をそのまま送信ドライバ１１０に出力する。
【００４４】
送信ドライバ１１０は、制御部１０７からの切り替え制御信号（SW CON）によって指示された送信区間において、上り信号を、ケーブル接続部１０１を介してドアホン親機２００に送信する。
【００４５】
受信ドライバ１１１は、ドアホン親機２００から送信された下り信号を、ケーブル接続部１０１を介して受信する。そして、受信ドライバ１１１は、制御部１０７からの切り替え制御信号（SW CON）によって指示された受信区間において、下り信号を、受信データ反転部１１２に出力する。
【００４６】
受信データ反転部１１２は、接続状態検出部１３４において２線ケーブルが逆接続であると判定された場合、受信ドライバ１１１から出力された下り信号を反転させてデューティ比補正部１１６に出力する。そして、デューティ比補正部１１６を通過したデータは、同期検出部１１３、第２クロック生成部１１４に出力される。一方、受信データ反転部１１２は、接続状態検出部１３４において２線ケーブルが正接続であると判定された場合、受信ドライバ１１１から出力された下り信号をそのままデューティ比補正部１１６に出力する。そして、デューティ比補正部１１６を通過したデータは、同期検出部１１３、第２クロック生成部１１４に出力される。
【００４７】
同期検出部１１３は、第１クロック生成部１３１から出力された第１周波数のクロック（CLK）を使用し、デューティ比補正部１１６から出力された下り信号（受信データ）に含まれるプリアンブルデータを用いてドアホン親機２００との同期（受信データの各ビットの先頭のタイミング）を検出する。そして、同期検出部１１３は、プリアンブルデータのユニークパターンを検出したタイミングで、クロック出力開始の基準となるトリガ信号を第２クロック生成部１１４に出力し、データ再生動作を許可するイネーブル信号（SSCS）をデータ再生部１３３に出力する。なお、同期検出部１１３の構成の詳細については、後述する。
【００４８】
第２クロック生成部１１４は、同期検出部１１３から指示されたタイミングで、第１クロック生成部１３１から出力された第１周波数のクロック（CLK）を基準に、デューティ比補正部１１６から出力された下り信号（受信データ）のビットレートに対応する第２周波数（例えば、4.8MHz）のクロック（SSCK）を生成し、データ再生部１３３に出力する。
【００４９】
識別子記憶部１１５は、ドアホン親機２００から受信した自機ＩＤｓｌａｖｅおよびＩＤｍａｓｔｅｒを記憶する。
【００５０】
デューティ比補正部１１６は、第１クロック生成部１３１から出力された第１周波数のクロック（CLK）を使用し、受信データ反転部１１２から出力された下り信号のデューティ比を検出する。そして、デューティ比補正部１１６は、デューティ比が許容値を超えている場合、デューティ比を許容値の範囲内となるように補正してから、下り信号をデータ再生部１３３に出力する。一方、デューティ比補正部１１６は、デューティ比が許容値の範囲内である場合には、下り信号をそのままデータ再生部１３３に出力する。なお、デューティ比補正部１１６の構成の詳細については、後述する。
【００５１】
＜ドアホン親機の構成＞
次に、ドアホン親機２００の構成について、図４のブロック図を用いて説明する。図４に示すように、ドアホン親機２００は、ケーブル接続部２０１、キー入力部２０２、スピーカ２０３、マイク２０４、音声Ｉ／Ｆ部２０５、ディスプレイ部２０６および制御部２０７を有する。制御部２０７は、内部に、第１クロック生成部２３１、パケット生成部２３２、データ再生部２３３、接続状態検出部２３４、識別子設定部２３５を有する。また、ドアホン親機２００は、送信データ処理部２０８、送信データ反転部２０９、送信ドライバ２１０、受信ドライバ２１１およびルーティング制御部２１２、同期検出部２１３、第２クロック生成部２１４、識別子記憶部２１５を有する。ルーティング制御部２１２は、内部にデューティ比補正部２４１を有する。なお、ドアホン親機２００は、ケーブル接続部２０１、送信ドライバ２１０および受信ドライバ２１１を、Ｎ個（Ｎは自然数）有する。
【００５２】
ケーブル接続部２０１−ｉ（ｉは１からＮまでの何れかの整数）は、２線ケーブル用の接続端子を含み、２線ケーブルの室内側の一端と、送信ドライバ２１０−ｉおよび受信ドライバ２１１−ｉとの間を、信号を伝送可能な状態で接続する。なお、各２線ケーブルの他端は、玄関子機１００、増設モニタ３００あるいは他のドアホンシステムの親機に接続される。図４では、ケーブル接続部２０１−１が、他のドアホンシステムの親機に接続されている場合を例示している。
【００５３】
キー入力部２０２は、応答ボタンを含み、応答ボタンが操作されたとき、その旨を示す信号を制御部２０７に出力する。
【００５４】
スピーカ２０３は、音声Ｉ／Ｆ部２０５から出力されたアナログ音声データを、音声に変換して出力する。
【００５５】
マイク２０４は、周囲の音声を集音してアナログ音声データに変換し、音声Ｉ／Ｆ部２０５に出力する。
【００５６】
音声Ｉ／Ｆ部２０５は、制御部２０７から出力されたデジタル音声データを、アナログ音声データに変換し、信号レベルを調整して、スピーカ２０３に出力する。また、音声Ｉ／Ｆ部２０５は、マイク２０４から出力されたアナログ音声データを、信号レベルを調整し、デジタル音声データに変換して、制御部２０７に出力する。かかるアナログ／デジタル変換は、Ａ／Ｄ，Ｄ／Ａ変換器（図示せず）により行われる。
【００５７】
なお、音声Ｉ／Ｆ部２０５は、マイク２０４から出力されたアナログ音声データをデジタル変換したデータに対して、所定の音声圧縮処理を行って得られるデータを、デジタル音声データとして制御部２０７に出力してもよい。また、音声Ｉ／Ｆ部２０５は、制御部２０７から出力されたデジタル音声データが所定の音声圧縮処理を行って得られたデータである場合、当該データに対して所定の音声伸張処理を行ってから、デジタル／アナログ変換を行う。
【００５８】
ディスプレイ部２０６は、液晶ディスプレイを含み、制御部２０７から出力されたデジタル映像データを再生し、玄関の映像を表示する。なお、制御部２０７から出力されたデジタル映像データが所定の動画圧縮処理を行って得られたデータである場合、当該データに対して所定の動画伸張処理を行って、映像表示を行う。
【００５９】
制御部２０７は、ドアホン親機２００の各部の制御を行う。また、制御部２０７は、送信を許可する送信区間、および、受信を許可する受信区間を指示する切り替え制御信号（SW CON）を各送信ドライバ２１０−ｉ、各受信ドライバ２１１−ｉおよびルーティング制御部２１２に出力する。
【００６０】
制御部２０７の第１クロック生成部２３１は、受信データをサンプリングするためのクロックであって、水晶発振を基準に、受信データのビットレートのｎ倍に対応する第１周波数（例えば、48MHz（ｎ＝１０））のクロック（CLK）を生成し、ルーティング制御部２１２（デューティ比補正部２４１）、同期検出部２１３、第２クロック生成部２１４に出力する。
【００６１】
制御部２０７のパケット生成部２３２は、映像付き通話を実現するための下りパケットを生成する。具体的には、パケット生成部２３２は、音声Ｉ／Ｆ部２０５から出力されたデジタル音声データを適宜分割して各スロットのユーザデータフィールドに書き込み、自機（ドアホン親機２００）に固有の識別子（以下、「自機ＩＤｍａｓｔｅｒ」という）および通信相手の機器の識別子を含む制御データを各スロットの制御データフィールドに書き込む。さらに、パケット生成部２３２は、各スロットに、プリアンブルデータ、シンクパターンを書き込み、下りパケット（送信データ）を生成する。さらに、パケット生成部２３２は、送信用のイネーブル信号（SSCS）および送信用の第２周波数（例えば、4.8MHz）のクロック（SSCK）を生成する。そして、パケット生成部２３２は、下りパケットを、送信用のイネーブル信号（SSCS）およびクロック（SSCK）と同期させて、送信データ処理部２０８に出力する。
【００６２】
また、パケット生成部２３２は、ドアホン親機２００の動作あるいは玄関子機１００の動作に関する制御データを、玄関子機１００への送信の対象となるデータとして送信データ処理部２０８に出力してもよい。かかる制御データには、例えば、ドアホン親機２００から玄関子機１００のカメラ動作（データレート、パン、チルト、ライト、シャッター、およびフィルター等の動作）や、玄関子機１００に備えられた各種センサデバイスの動作を、ドアホン親機２００から制御するための制御信号が含まれる。また、かかる制御データには、玄関子機１００に備えられた無線通信回路等（図示せず）を介して屋外に配置されたデバイス（門の電子鍵等）の動作を制御するための制御信号が含まれる。
【００６３】
パケット生成部２３２は、玄関子機１００、増設モニタ３００等の機器の初期登録時において、識別子設定部２３５にて設定された、登録対象の機器に割り当てた固有の識別子を含む下り信号を生成する。
【００６４】
なお、玄関子機１００（あるいは増設モニタ３００）とドアホン親機２００との間でデータが送受されない待機状態では、パケット生成部２３２は、下りパケットを生成しない。また、待機状態（非同期通信時）において、応答ボタンが操作される等の所定のイベントが発生すると、パケット生成部２３２は、プリアンブルデータ、シンクパターン、制御データを書き込んだ下りパケット（割り込み信号）を生成する。なお、非同期通信時の割り込み信号において使用されるプリアンブルとシンクパターンは、同期通信時に使用されるものと同一である。
【００６５】
制御部２０７のデータ再生部２３３は、同期検出部２１３からイネーブル信号（SSCS）を入力すると、第２クロック生成部２１４から出力された第２周波数のクロック（SSCK）を使用し、ルーティング制御部２１２から出力された上り信号を復調して上りパケットを取得する。そして、データ再生部２３３は、上りパケットに含まれるデジタル音声データを音声Ｉ／Ｆ部２０５に出力し、上りパケットに含まれるデジタル映像データをディスプレイ部２０６に出力し、上りパケットに含まれるシンクパターンを接続状態検出部２３４に出力する。
【００６６】
また、データ再生部２３３は、待機状態（非同期通信時）において所定のイベントが発生し、上り信号（割り込み信号）を入力した場合、上り信号を復調して上りパケットを取得し、上りパケットに含まれるシンクパターンを接続状態検出部２３４に出力する。データ再生部２３３は、接続状態検出部２３４において正確に割り込み信号を捕捉できたことを確認した後、割り込み信号の制御データを抽出する。制御データが同期要求であれば、ドアホン親機２００は、玄関子機１００あるいは増設モニタ３００との同期処理に移行する。
【００６７】
制御部２０７の接続状態検出部２３４は、正接続チェック用シンクパターンおよび逆接続チェック用シンクパターンを記憶し、データ再生部２３３から出力された受信データのシンクパターンを、正接続チェック用シンクパターンおよび逆接続チェック用シンクパターンと照合する。接続状態検出部２３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部２３４は、判定結果を示す反転制御信号（INV CON）を、送信データ反転部２０９に出力する。
【００６８】
制御部２０７の識別子設定部２３５は、玄関子機１００、増設モニタ３００等の機器の初期登録時において、各登録対象の機器に割り当てる固有の識別子を設定し、パケット生成部２３２に出力し、識別子記録部２１５に記録させる。また、識別子設定部２３５は、必要に応じて、識別子記録部２１５に記録された識別子を読み出す。なお、識別子設定部２３５は、識別子を送信してから所定の時間が経過しても、データ再生部２３３から識別子の受領確認が入力されなかった場合には、再び、設定した識別子をパケット生成部２３２に出力する。
【００６９】
送信データ処理部２０８は、パケット生成部２３２からイネーブル信号（SSCS）を入力すると、パケット生成部２３２から出力された第２周波数のクロック（SSCK）を使用し、パケット生成部２３２から出力された下りパケットのデータに対して変調処理を行って下り信号を生成し、ルーティング制御部２１２に出力する。
【００７０】
送信データ反転部２０９は、接続状態検出部２３４において２線ケーブルが逆接続であると判定された場合、ルーティング制御部２１２から出力された下り信号を反転させて送信ドライバ２１０−１に出力する。一方、送信データ反転部２０９は、接続状態検出部２３４において２線ケーブルが正接続であると判定された場合、ルーティング制御部２１２から出力された下り信号をそのまま送信ドライバ２１０−１に出力する。
【００７１】
送信ドライバ２１０−１は、制御部２０７からの切り替え制御信号（SW CON）によって指示された送信区間において、下り信号を、ケーブル接続部２０１−１を介して他のドアホンシステムの親機に送信する。送信ドライバ２１０−ｉ（この場合、ｉは１以外）は、制御部２０７からの切り替え制御信号（SW CON）によって指示された送信区間において、下り信号を、ケーブル接続部２０１−ｉを介して玄関子機１００あるいは増設モニタ３００に送信する。
【００７２】
受信ドライバ２１１−ｉは、玄関子機１００、増設モニタ３００あるいは他のドアホンシステムの親機から送信された上り信号を、ケーブル接続部２０１−ｉを介して受信する。そして、受信ドライバ２１１−ｉは、制御部２０７からの切り替え制御信号（SW CON）によって指示された受信区間において、上り信号を、ルーティング制御部２１２に出力する。
【００７３】
ルーティング制御部２１２は、玄関子機１００から送信され、受信ドライバ２１１−ｉから出力された上り信号を、親機２００宛である場合には、デューティ比補正部２４１を通過させて、同期検出部２１３、第２クロック生成部２１４に出力し、増設モニタ３００宛である場合には、デューティ比補正部２４１を通過させて、対応の送信ドライバ２１０−ｉに出力する。また、ルーティング制御部２１２は、送信データ処理部２０８から出力された玄関子機１００宛の下り信号を、対応の送信ドライバ２１０−ｉに出力する。また、ルーティング制御部２１２は、増設モニタ３００から送信され、受信ドライバ２１１−ｉから出力された玄関子機１００宛の上り信号を、デューティ比補正部２４１を通過させて、対応の送信ドライバ２１０−ｉに出力する。また、ルーティング制御部２１２は、ルーティング（通信ルートの有効／無効）の制御を行う。なお、ルーティング制御部２１２が行うルーティング制御の具体例については後述する。
【００７４】
同期検出部２１３は、第１クロック生成部２３１から出力された第１周波数のクロック（CLK）を使用し、ルーティング制御部２１２から出力された上り信号（受信データ）に含まれるプリアンブルデータを用いて玄関子機１００との同期（受信データの各ビットの先頭のタイミング）を検出する。そして、同期検出部２１３は、プリアンブルデータのユニークパターンを検出したタイミングで、クロック出力開始の基準となるトリガ信号を第２クロック生成部２１４に出力し、データ再生動作を許可するイネーブル信号（SSCS）をデータ再生部２３３に出力する。
【００７５】
第２クロック生成部２１４は、同期検出部２１３から指示されたタイミングで、第１クロック生成部２３１から出力された第１周波数のクロック（CLK）を基準に、ルーティング制御部２１２から出力された上り信号（受信データ）のビットレートに対応する第２周波数（例えば、4.8MHz）のクロック（SSCK）を生成し、第２周波数のクロックをデータ再生部２３３に出力する。
【００７６】
識別子記憶部２１５は、自機ＩＤｍａｓｔｅｒ、および、各機器（玄関子機１００、増設モニタ３００、他のドアホンシステムの親機）の識別子を記憶する。
【００７７】
ルーティング制御部２１２内のデューティ比補正部２４１は、第１クロック生成部２３１から出力された第１周波数のクロック（CLK）を使用し、送信ドライバ２１１−ｉから出力された上り信号のデューティ比を検出する。そして、デューティ比補正部２４１は、デューティ比が許容値を超えている場合、デューティ比を許容値の範囲内となるように補正してから、上り信号をデータ再生部２３３に出力する。一方、デューティ比補正部２４１は、デューティ比が許容値の範囲内である場合には、上り信号をそのままデータ再生部２３３に出力する。
【００７８】
＜増設モニタの構成＞
次に、増設モニタ３００の構成について、図５のブロック図を用いて説明する。図５に示すように、増設モニタ３００は、ケーブル接続部３０１、キー入力部３０２、スピーカ３０３、マイク３０４、音声Ｉ／Ｆ（インターフェイス）部３０５、ディスプレイ部３０６および制御部３０７を有する。制御部３０７は、内部に、第１クロック生成部３３１、パケット生成部３３２、データ再生部３３３、接続状態検出部３３４を有する。また、増設モニタ３００は、送信データ処理部３０８、送信データ反転部３０９、送信ドライバ３１０、受信ドライバ３１１、受信データ反転部３１２、同期検出部３１３、第２クロック生成部３１４、識別子記憶部３１５、デューティ比補正部３１６を有する。
【００７９】
ケーブル接続部３０１は、２線ケーブル用の接続端子を含み、２線ケーブルの増設モニタ側の一端と、受信ドライバ３１１および送信ドライバ３１０との間を、信号を伝送可能な状態で接続する。なお、２線ケーブルの他端は、ドアホン親機２００に接続される。
【００８０】
キー入力部３０２は、呼出ボタンを含み、呼出ボタンが操作されたとき、その旨を示す信号を制御部３０７に出力する。
【００８１】
スピーカ３０３は、音声Ｉ／Ｆ部３０５から出力されたアナログ音声データを、音声に変換して出力する。
【００８２】
マイク３０４は、周囲の音声を集音してアナログ音声データに変換し、音声Ｉ／Ｆ部３０５に出力する。
【００８３】
音声Ｉ／Ｆ部３０５は、制御部３０７から出力されたデジタル音声データを、アナログ音声データに変換し、信号レベルを調整して、スピーカ３０３に出力する。また、音声Ｉ／Ｆ部３０５は、マイク３０４から出力されたアナログ音声データを、信号レベルを調整し、デジタル音声データに変換して、制御部３０７に出力する。かかるアナログ／デジタル変換は、Ａ／Ｄ，Ｄ／Ａ変換器（図示せず）により行われる。
【００８４】
なお、音声Ｉ／Ｆ部３０５は、マイク３０４から出力されたアナログ音声データをデジタル変換したデータに対して、所定の音声圧縮処理を行って得られるデータを、デジタル音声データとして制御部３０７に出力してもよい。また、音声Ｉ／Ｆ部３０５は、制御部３０７から出力されたデジタル音声データが所定の音声圧縮処理を行って得られたデータである場合、当該データに対して所定の音声伸張処理を行ってから、デジタル／アナログ変換を行う。
【００８５】
ディスプレイ部３０６は、液晶ディスプレイを含み、制御部３０７から出力されたデジタル映像データを再生し、玄関の映像を表示する。なお、制御部３０７から出力されたデジタル映像データが所定の動画圧縮処理を行って得られたデータである場合、当該データに対して所定の動画伸張処理を行って、映像表示を行う。
【００８６】
制御部３０７は、増設モニタ３００の各部の制御を行う。また、制御部３０７は、送信を許可する送信区間、および、受信を許可する受信区間を指示する切り替え制御信号（SW CON）を送信ドライバ３１０および受信ドライバ３１１に出力する。
【００８７】
制御部３０７の第１クロック生成部３３１は、受信データをサンプリングするためのクロックであって、水晶発振を基準に、受信データのビットレートのｎ倍に対応する第１周波数（例えば、48MHz（ｎ＝１０））のクロック（CLK）を生成し、同期検出部３１３、第２クロック生成部３１４、デューティ比補正部３１６に出力する。
【００８８】
制御部３０７のパケット生成部３３２は、映像付き通話を実現するための上りパケットを生成する。具体的には、パケット生成部３３２は、音声Ｉ／Ｆ部３０５から出力されたデジタル音声データを適宜分割して各スロットのユーザデータフィールドに書き込み、自機（増設モニタ３００）に固有の識別子（以下、「自機ＩＤｍｏｎｉｔｏｒ」という）およびＩＤｍａｓｔｅｒを含む制御データを各スロットの制御データフィールドに書き込む。さらに、パケット生成部３３２は、各スロットに、プリアンブルデータ、シンクパターンを書き込み、上りパケット（送信データ）を生成する。さらに、パケット生成部３３２は、送信用のイネーブル信号（SSCS）および送信用の第２周波数（例えば、4.8MHz）のクロック（SSCK）を生成する。そして、パケット生成部３３２は、上りパケットを、送信用のイネーブル信号（SSCS）およびクロック（SSCK）と同期させて、送信データ処理部３０８に出力する。
【００８９】
なお、増設モニタ３００とドアホン親機２００との間でデータが送受されない待機状態では、パケット生成部３３２は、上りパケットを生成しない。また、待機状態（非同期通信時）において、呼出ボタンが操作される等の所定のイベントが発生すると、パケット生成部３３２は、プリアンブルデータ、シンクパターン、制御データを書き込んだ上りパケット（割り込み信号）を生成する。なお、非同期通信時の割り込み信号において使用されるプリアンブルとシンクパターンは、同期通信時に使用されるものと同一である。
【００９０】
制御部３０７のデータ再生部３３３は、同期検出部３１３からイネーブル信号（SSCS）を入力すると、第２クロック生成部３１４から出力された第２周波数のクロック（SSCK）を使用し、デューティ比補正部３１６から出力された下り信号（受信データ）を復調して下りパケットを取得する。そして、データ再生部３３３は、下りパケットに含まれるデジタル映像データをディスプレイ部３０６に出力し、下りパケットに含まれるデジタル音声データを音声Ｉ／Ｆ部３０５に出力し、下りパケットに含まれるシンクパターンを接続状態検出部３３４に出力する。なお、データ再生部３３３は、初期登録時に、下りパケットに含まれる自機ＩＤｍｏｎｉｔｏｒおよびＩＤｍａｓｔｅｒを識別子記憶部３１５に記憶させる。
【００９１】
また、データ再生部３３３は、待機状態（非同期通信時）において所定のイベントが発生し、下り信号（割り込み信号）を入力した場合、下り信号を復調して下りパケットを取得し、下りパケットに含まれるシンクパターンを接続状態検出部３３４に出力する。データ再生部３３３は、接続状態検出部３３４において正確に割り込み信号を捕捉できたことを確認した後、割り込み信号の制御データを抽出する。制御データが同期要求であれば、増設モニタ３００は、ドアホン親機２００との同期処理に移行する。
【００９２】
制御部３０７の接続状態検出部３３４は、正接続チェック用シンクパターンおよび逆接続チェック用シンクパターンを記憶し、データ再生部３３３から出力された受信データのシンクパターンを、正接続チェック用シンクパターンおよび逆接続チェック用シンクパターンと照合する。接続状態検出部３３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部３３４は、判定結果を示す反転制御信号（INV CON）を、送信データ反転部３０９および受信データ反転部３１２に出力する。
【００９３】
送信データ処理部３０８は、パケット生成部３３２からイネーブル信号（SSCS）を入力すると、パケット生成部３３２から出力された第２周波数のクロック（SSCK）を使用し、パケット生成部３３２から出力された上りパケットのデータに対して変調処理を行って上り信号を生成し、送信データ反転部３０９に出力する。
【００９４】
送信データ反転部３０９は、接続状態検出部３３４において２線ケーブルが逆接続であると判定された場合、送信データ処理部３０８から出力された上り信号を反転させて送信ドライバ３１０に出力する。一方、送信データ反転部３０９は、接続状態検出部３３４において２線ケーブルが正接続であると判定された場合、送信データ処理部３０８から出力された上り信号をそのまま送信ドライバ３１０に出力する。
【００９５】
送信ドライバ３１０は、制御部３０７からの切り替え制御信号（SW CON）によって指示された送信区間において、上り信号を、ケーブル接続部３０１を介してドアホン親機２００に送信する。
【００９６】
受信ドライバ３１１は、ドアホン親機２００から送信された下り信号を、ケーブル接続部３０１を介して受信する。そして、受信ドライバ３１１は、制御部３０７からの切り替え制御信号（SW CON）によって指示された受信区間において、下り信号を、受信データ反転部３１２に出力する。
【００９７】
受信データ反転部３１２は、接続状態検出部３３４において２線ケーブルが逆接続であると判定された場合、受信ドライバ３１１から出力された下り信号を反転させてデューティ比補正部３１６に出力する。そして、デューティ比補正部３１６を通過したデータは、同期検出部３１３、第２クロック生成部３１４に出力される。一方、受信データ反転部３１２は、接続状態検出部３３４において２線ケーブルが正接続であると判定された場合、受信ドライバ３１１から出力された下り信号をそのままデューティ比補正部３１６に出力する。そして、デューティ比補正部３１６を通過したデータは、同期検出部３１３、第２クロック生成部３１４に出力される
【００９８】
同期検出部３１３は、第１クロック生成部３３１から出力された第１周波数のクロック（CLK）を使用し、デューティ比補正部３１６から出力された下り信号（受信データ）に含まれるプリアンブルデータを用いてドアホン親機２００との同期（受信データの各ビットの先頭のタイミング）を検出する。そして、同期検出部３１３は、プリアンブルデータのユニークパターンを検出したタイミングで、クロック出力開始の基準となるトリガ信号を第２クロック生成部３１４に出力し、データ再生動作を許可するイネーブル信号（SSCS）をデータ再生部３３３に出力する。
【００９９】
第２クロック生成部３１４は、同期検出部３１３から指示されたタイミングで、第１クロック生成部３３１から出力された第１周波数のクロック（CLK）を基準に、デューティ比補正部３１６から出力された下り信号（受信データ）のビットレートに対応する第２周波数（例えば、4.8MHz）のクロック（SSCK）を生成し、データ再生部３３３に出力する。
【０１００】
識別子記憶部３１５は、ドアホン親機２００から受信した自機ＩＤｍｏｎｉｔｏｒおよびＩＤｍａｓｔｅｒを記憶する。
【０１０１】
デューティ比補正部３１６は、第１クロック生成部３３１から出力された第１周波数のクロック（CLK）を使用し、受信データ反転部３１２から出力された下り信号のデューティ比を検出する。そして、デューティ比補正部３１６は、デューティ比が許容値を超えている場合、デューティ比を許容値の範囲内となるように補正してから、下り信号をデータ再生部３３３に出力する。一方、デューティ比補正部３１６は、デューティ比が許容値の範囲内である場合には、下り信号をそのままデータ再生部３３３に出力する。
【０１０２】
なお、玄関子機１００、ドアホン親機２００および増設モニタ３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行することにより実現される。
【０１０３】
＜変調処理の一例＞
次に、送信データ処理部１０８（２０８、３０８）が行う変調処理の一例について図６、図７を用いて説明する。図６、図７では、マンチェスタ符号を採用した場合を示している。
【０１０４】
送信データ処理部１０８（２０８、３０８）は、周期Ｔｍ毎に、パケットの各データ（１ビット）に対応する信号を１つ生成する。マンチェスタ符号を採用した場合、図６に示すように、送信データ処理部１０８（２０８、３０８）は、値「０」のデータ４０１にLowからHighへの立上りを発生させ、変調信号４０２を生成する。また、送信データ処理部１０８（２０８、３０８）は、値「１」のデータ４１１にHighからLowへの立下りを発生させ、変調信号４１２を生成する。
【０１０５】
そして、図７に示すように、「０，０，１，・・・，１，０」というデータ列４２１に対して、送信データ処理部１０８（２０８、３０８）は、各ビットの値に対応して、周期Ｔｍ毎に立上りあるいは立下りを有する変調信号４２２を生成する。
【０１０６】
＜プリアンブルデータの一例＞
次に、本実施の形態において使用されるプリアンブルデータの一例について図８を用いて説明する。
【０１０７】
図８に示すように、本実施の形態において使用されるプリアンブルデータ（4byte=32bit）は、1byte目から3byte目までがすべて「１」のパターンであり、4byte目が、最初から6bitまでが「１」、7bitが「０」、8bit（最後の1bit）が「１」のパターンである。さらに、この場合、プリアンブルデータに続くシンクパターンの最初の1bitが「１」である。この結果、図８に示すプリアンブルデータは、4byte目の6bit目から8bit目にかけての隣接する立下りエッジ間５０１の期間が他よりも長いユニークパターンとなっている。また、隣接する立下りエッジ間５０１のＨ（High）の期間およびＬ（Low）の期間が他よりも長くなっている。なお、図８は、マンチェスタエンコード後のプリアンブルデータの波形を示している。
【０１０８】
なお、本実施の形態では、プリアンブルデータが、図８に示すものが反転されたものであっても良い。すなわち、本実施の形態において使用されるプリアンブルデータ（4byte=32bit）は、1byte目から3byte目までがすべて「０」のパターンであり、4byte目が、最初から6bitまでが「０」、7bitが「１」、8bit（最後の1bit）が「０」のパターンであってもよい。この場合、プリアンブルデータに続くシンクパターンの最初の1bitが「０」である。
【０１０９】
＜同期検出部の内部構成＞
次に、玄関子機１００の同期検出部１１３の内部構成の詳細について、図９を用いて説明する。なお、その説明の際、本実施の形態の同期検出処理について理解を容易にするため、図９と併せて図１０、図１１を用いる。図１０の例において、プリアンブルデータおよびそのユニークパターンは、図８に示したものを用いる。なお、図１０では、第１クロック生成部１３１が48MHzのクロック（CLK）を生成し、第２クロック生成部１１４が4.8MHzのクロック（SSCK）を生成している場合を示している。
【０１１０】
図９に示すように、同期検出部１１３は、第１のユニークパターン検出部１５１、第２のユニークパターン検出部１５２およびイネーブル信号生成部１５３を有する。
【０１１１】
第１のユニークパターン検出部１５１および第２のユニークパターン検出部１５２は、ユニークパターン検出用のクロックの第１規定数（例えば、「１８」から「２２」）を記憶している。
【０１１２】
第１のユニークパターン検出部１５１は、第１クロック生成部１３１のクロックで、受信データ反転部１１２から出力された受信データに含まれるプリアンブルデータをサンプリングし、隣接する立下りエッジ間のクロックを計数する。第１のユニークパターン検出部１５１は、隣接する立下りエッジ間のクロック数が第１規定数のいずれかに一致した場合にユニークパターンを検出したと判定する。図１０の例では、隣接する立下りエッジ間５０１のクロック数「２０」が、第１規定数の中の１つと一致する。そして、第１のユニークパターン検出部１５１は、所定のタイミングで、その旨を示す信号を、イネーブル信号生成部１５３に出力する。
【０１１３】
第２のユニークパターン検出部１５２は、第１のユニークパターン検出部１５１と同一タイミングで、受信データ反転部１１２から出力された受信データに含まれるプリアンブルデータをサンプリングし、隣接する立上りエッジ間のクロックを計数する。第２のユニークパターン検出部１５２は、隣接する立上りエッジ間のクロック数が第１規定数のいずれかに一致した場合にユニークパターンを検出したと判定し、その旨を示す信号をイネーブル信号生成部１５３に出力する。
【０１１４】
イネーブル信号生成部１５３は、第１のユニークパターン検出部１５１あるいは第２のユニークパターン検出部１５２のいずれかから、ユニークパターンを検出した旨を示す信号を入力すると、クロック出力開始の基準となるトリガ信号を第２クロック生成部１１４に出力し、データ再生動作を許可するイネーブル信号を制御部１０７のデータ再生部１３３に出力する（図１０の例では、イネーブル信号SSCSを立下げ、Ｌ（Low）信号とする（アクティブにする））。
【０１１５】
ユニークパターンの検出について、図１１を用いてさらに詳細に説明する。図１１（Ａ）は、２線ケーブルが正接続の場合の正常極性のユニークパターンおよびその近傍の受信波形を示し、図１１（Ａ）の（１）は、第１のユニークパターン検出部１５１によって計数されるクロック数を示し、図１１（Ａ）の（２）は、第２のユニークパターン検出部１５２によって計数されるクロック数を示す。図１１（Ｂ）は、２線ケーブルが逆接続の場合の反転極性のユニークパターンおよびその近傍の受信波形を示し、図１１（Ｂ）の（１）は、第１のユニークパターン検出部１５１によって計数されるクロック数を示し、図１１（Ｂ）の（２）は、第２のユニークパターン検出部１５２によって計数されるクロック数を示す。
【０１１６】
２線ケーブルが正接続の場合、図１１（Ａ）の（１）に示すように、第１のユニークパターン検出部１５１において計数されるクロック数は、ユニークパターン１の隣接する立下りエッジ間では「２０」となり、第１規定数の中の１つと一致し、他の隣接する立下りエッジ間では「１０」となり、第１規定数の中の何れにも一致しない。第１のユニークパターン検出部１５１がユニークパターン１を検出すると、イネーブル信号生成部１５３が所定の位置Ｚでイネーブル信号（SSCS）を立下げる（アクティブにする）。一方、図１１（Ａ）の（２）に示すように、第２のユニークパターン検出部１５２において計数されるクロック数は、何れの隣接する立上りエッジ間でも「１０」または「１５」となり、第１規定数の中の何れにも一致しない。このため、第２のユニークパターン検出部１５２は、ユニークパターンを検出することができない。このように、２線ケーブルが正接続の場合、同期検出部１１３（第１のユニークパターン検出部１５１および第２のユニークパターン検出部１５２）において、サンプリングクロック数がユニークであるユニークパターン１が唯一検出される。
【０１１７】
２線ケーブルが逆接続の場合、図１１（Ｂ）の（２）に示すように、第２のユニークパターン検出部１５２において計数されるクロック数は、ユニークパターン２の隣接する立上りエッジ間では「２０」となり、第１規定数の中の１つと一致し、他の隣接する立上りエッジ間では「１０」となり、第１規定数の中の何れにも一致しない。第２のユニークパターン検出部１５２がユニークパターン２を検出すると、イネーブル信号生成部１５３が所定の位置Ｙでイネーブル信号（SSCS）を立下げる（アクティブにする）。一方、図１１（Ｂ）の（１）に示すように、第１のユニークパターン検出部１５１において計数されるクロック数は、何れの隣接する立下りエッジ間でも「１０」または「１５」となり、第１規定数の中の何れにも一致しない。このため、第１のユニークパターン検出部１５１は、ユニークパターンを検出することができない。このように、２線ケーブルが逆接続の場合、同期検出部１１３（第１のユニークパターン検出部１５１および第２のユニークパターン検出部１５２）において、サンプリングクロック数がユニークであるユニークパターン２が唯一検出される。
【０１１８】
なお、図１１（Ｂ）の受信波形は、図１１（Ａ）のの受信波形が反転されたものであって、正常極性のときに立下りエッジ間のクロック数が第１規定数となるユニークパターンが存在する場合は、必然的に、反転極性のときに立上がりエッジ間のクロック数が第１規定数となるユニークパターンが存在することになる。また、その場合のユニークパターン１とユニークパターン２の配置位置およびタイミングは同一となり、イネーブル信号（SSCS）を立下げる（アクティブにする）位置ＺとＹのタイミングも一致する。
【０１１９】
この場合、第２クロック生成部１１４は、イネーブル信号生成部１５３からトリガ信号を入力したタイミングから、次に受信波形が変化するエッジ（プリアンブルデータとシンクパターンの間の波形エッジ）であるデータ反転ポイント５１１からｋ個目の第１周波数（48MHz）のクロック（ｋは自然数、図１０、図１１の例ではｋ＝２）のタイミングを開始タイミング（図１０のｔ１）として、第２周波数のクロックを出力する。
【０１２０】
データ再生部１３３は、第２クロック生成部１１４から出力された第２周波数のクロック（SSCK）の立上りのタイミング（図１０のｔ１）でデコードする。すなわち、データ再生部１３３は、プリアンブルデータとシンクパターンの境界であるデータ反転ポイント５１１からｋ個目の第１周波数（48MHz）のクロック（CLK）のデコードタイミング５１２でデコードを行う。
【０１２１】
図１２において、データ反転ポイント５１１と第１周波数（48MHz）のクロックのタイミングが一致している場合を理想クロック５２１、理想クロック５２１から０．５クロック分進んだ場合を最大進みクロック５２２、理想クロック５２１から０．５クロック分遅れた場合を最大遅れクロック５２３とする。また、通信相手とのクリスタルの精度ずれの許容範囲を１クロックとする。データ再生部１３３は、理想クロック５２１のデコードタイミング５１２を中心として、最大進みクロック５２２のデコードタイミング５１２から１クロック分前のタイミング５１３と、最大遅れクロック５２３のデコードタイミング５１２から１クロック分後のタイミング５１４との間の区間５３１（データの読み込みタイミングの許容範囲）内で、受信データを正しくデコードすることができる。また、この場合、受信波形のデューティ比が３０％から７０％までの間であれば、データ再生部１３３は、受信データを正しくデコードすることができる。
【０１２２】
このように、データ反転ポイントを基準にすることによりデータの読み込みタイミングのばらつきを正確に計算できるとともに、各スロットのプリアンブルのビット同期で、都度、データの読み込みタイミングを設定することにより、スロットのビット長でのデータの読み込みタイミングのずれの最大許容値を求めることができる。これにより、送信側のクリスタルと受信側のクリスタルとのずれの許容範囲内で、非同期通信を確実に行うことができる。この結果、第２クロック生成部１１４は、通常、受信データに含まれるデータと同期した送信側のクロックを抽出して第２周波数のクロックとして使用するが、本実施の形態では、受信データからクロックを抽出する必要が無くなる。このため、回路構成を簡易なものとすることができ、コストを抑えることができる。
【０１２３】
なお、ドアホン親機２００の同期検出部２１３および増設モニタ３００の同期検出部３１３の内部構成も、図９に示した玄関子機１００の同期検出部１１３の内部構成と同一である。
【０１２４】
＜同期検出処理のフロー＞
次に、玄関子機１００（同期検出部１１３、接続状態検出部１３４）における同期検出処理のフローについて図１３を用いて説明する。
【０１２５】
ステップＳ６１０において、同期検出部１１３は、第１のユニークパターン検出部１５１および第２のユニークパターン検出部１５２により、第１クロック生成部１３１のクロックで、受信ドライバ１１１から出力された復調前の下り信号に含まれるプリアンブルデータをサンプリングし、隣接する立下りエッジ間のクロック数および隣接する立上りエッジ間のクロック数に基づいてプリアンブルデータのユニークパターンのチェックを行う。
【０１２６】
ユニークパターンを検出できた場合（Ｓ６２０：ＹＥＳ）、ビット同期を取ることができたとして、フローをステップＳ６３０へ進め、検出できていない場合（Ｓ６２０：ＮＯ）、フローをステップＳ６１０に戻し、ユニークパターンのチェックを再び行う。
【０１２７】
ステップＳ６３０において、接続状態検出部１３４は、データ再生部１３３から出力された受信データのシンクパターンのチェックを行う。
【０１２８】
受信データのシンクパターンが、正接続チェック用シンクパターンと一致した場合（Ｓ６４０：ＹＥＳ）、ステップＳ６５０において、接続状態検出部１３４は、２線ケーブルが正接続であると判定し、同期検出処理を終了する。
【０１２９】
また、受信データのシンクパターンが、逆接続チェック用シンクパターンと一致した場合（Ｓ６４０：ＮＯ，Ｓ６６０：ＹＥＳ）、ステップＳ６７０において、接続状態検出部１３４は、２線ケーブルが逆接続であると判定し、同期検出処理を終了する。
【０１３０】
また、受信データのシンクパターンが、正接続チェック用シンクパターンおよび逆接続チェック用シンクパターンのどちらにも一致しなかった場合（Ｓ６４０：ＮＯ，Ｓ６６０：ＮＯ）、ステップＳ６８０において、接続状態検出部１３４は、シンクパターンの検知に失敗したと判定し、フローをステップＳ６１０に戻し、ユニークパターンのチェックを再び行う。
【０１３１】
＜同期検出処理のバリエーション＞
本実施の形態では、プリアンブルデータの先頭からの繰り返しパターンを利用して、ユニークパターンの検出精度をさらに向上させることができる。以下、このバリエーションについて図１４を用いて説明する。なお、以下の説明において、プリアンブルデータおよびそのユニークパターンは、図８に示したものであるとする。すなわち、プリアンブルデータは、1byte目から3byte目までがすべて「１」のパターンであり、4byte目が、最初から6bitまでが「１」、7bitが「０」、8bit（最後の1bit）が「１」のパターンである。
【０１３２】
なお、図１４に示す同期検出部１１３ａにおいて、図９に示した同期検出部１１３と共通する構成部分には、図９と同一符号を付してその説明を省略する。図１４に示す同期検出部１１３ａは、図９に示した同期検出部１１３と比較して、繰り返しパターン数検出部１５４を追加した構成を採る。
【０１３３】
繰り返しパターン数検出部１５４は、ユニークパターン以外の隣接する立下りエッジ間（あるいは、隣接する立上りエッジ間）検出用のクロックの第２規定数（例えば、「８」から「１２」）、および、繰り返しパターン検出用の第３規定数（例えば、「１６」）を記憶している。繰り返しパターン数検出部１５４は、第１のカウンタにより、プリアンブル波形の隣接する立下りエッジ間（あるいは、隣接する立上りエッジ間）のクロックを計数し、当該クロック数が第２規定数のいずれかに一致した場合に、第２のカウンタをカウントアップさせる。そして、繰り返しパターン数検出部１５４は、第２のカウンタのカウント値が第３規定数に達した場合に、第１のユニークパターン検出部１５１および第２のユニークパターン検出部１５２に対して動作開始を指示するトリガ信号を出力する。
【０１３４】
第１のユニークパターン検出部１５１および第２のユニークパターン検出部１５２は、繰り返しパターン数検出部１５４からトリガ信号を入力してから動作を開始する。
【０１３５】
＜同期検出処理のバリエーションのフロー＞
次に、同期検出処理のバリエーションのフローについて図１５を用いて説明する。なお、図１５に示すフローにおいて、図１３に示したフローと共通するステップには、図１３と同一符号を付してその説明を省略する。図１５に示すフローは、図１３に示したフローのステップＳ６１０の前に、ステップＳ６０１、Ｓ６０２を追加した構成を採る。
【０１３６】
ステップＳ６０１において、同期検出部１１３ａは、繰り返しパターン数検出部１５４により、第１クロック生成部１３１のクロックで、受信ドライバ１１１から出力された復調前の下り信号に含まれるプリアンブルデータをサンプリングし、隣接する立下りエッジ間（あるいは、隣接する立上りエッジ間）のクロック数が第２規定数のいずれかに一致した場合をカウントする。
【０１３７】
カウント値が第３規定数に達するまでステップＳ６０１が繰り返される（Ｓ６０２：ＮＯ）。カウント値が第３規定数に達した場合（Ｓ６０２：ＹＥＳ）、ユニークパターン検出を開始するため、フローをステップＳ６１０へ進める。
【０１３８】
なお、上記のバリエーションの説明では、同期検出部１１３ａに繰り返しパターン数検出部１５４を追加する場合について説明したが、本発明はこれに限られず、第１のユニークパターン検出部１５１あるいは第２のユニークパターン検出部１５２において、上記に説明した繰り返しパターン数検出部１５４の機能を実現することができる。
【０１３９】
＜初期登録までのシーケンス＞
次に、本実施の形態に係る初期登録までのシーケンスについて図１６を用いて説明する。
【０１４０】
玄関子機１００とドアホン親機２００が２線ケーブルで接続され、電源がＯＮされた場合（Ｓ７０１）、ドアホン親機２００は、玄関子機１００に対して、制御データフィールドに登録開始情報が書き込まれた割り込み信号を送信する（Ｓ７０２）。
【０１４１】
玄関子機１００は、ドアホン親機２００からの割り込み信号を捕捉し、割り込み信号の制御データ（登録開始情報）を確認する（Ｓ７０３）。なお、割り込み信号の捕捉とは、具体的には、第１周波数のクロックを用いて割り込み信号のサンプリングを行い、プリアンブル内のユニークパターンを検出してビット同期を確立し、第２周波数のクロックを用いて割り込み信号を再生して前記シンクパターンを検出することである。
【０１４２】
また、玄関子機１００は、割り込み信号のシンクパターンを用いて、２線ケーブルの反転検出（正接続／逆接続の判定）を行い、２線ケーブルが逆接続である場合、送信データ反転部１０９および受信データ反転部１１２に対して反転設定を行う（Ｓ７０４）。
【０１４３】
その後、玄関子機１００は、制御データフィールドに登録開始情報の受領確認が書き込まれた割り込み信号をドアホン親機２００に送信する（Ｓ７０５）。
【０１４４】
ドアホン親機２００は、玄関子機１００からの割り込み信号を捕捉し、割り込み信号の制御データ（登録開始情報受領）を確認する（Ｓ７０６）。
【０１４５】
そして、ドアホン親機２００は、玄関子機１００に割り当てた固有の識別子（端末ＩＤ）が制御データフィールドに書き込まれた割り込み信号を送信する（Ｓ７０７）。
【０１４６】
玄関子機１００は、割り込み信号の制御データ（端末ＩＤ）を確認し、制御データフィールドに端末ＩＤの受領確認が書き込まれた割り込み信号をドアホン親機２００に送信する（Ｓ７０８）。
【０１４７】
以上の処理により、初期登録が完了する（Ｓ７０９）。
【０１４８】
＜待機状態から通信状態までのシーケンス＞
次に、本実施の形態に係る待機状態（非同期通信時）から通信状態までのシーケンスについて図１７を用いて説明する。なお、図１７では、玄関子機１００−１、１００−２および増設モニタ３００がドアホン親機２００と接続している場合のシーケンスを示す。
【０１４９】
各機器とドアホン親機２００との間でデータが送受されない待機状態（非同期通信時）において（Ｓ８０１）、玄関子機１００−２の呼出ボタンが操作された場合（Ｓ８０２）、玄関子機１００−２は、制御データフィールドに同期要求が書き込まれた割り込み信号をドアホン親機２００に送信することにより同期要求を行う（Ｓ８０３）。
【０１５０】
ドアホン親機２００は、割り込み信号を捕捉し（Ｓ８０４）、割り込み信号に含まれる同期要求を確認する。なお、割り込み信号の捕捉とは、具体的には、第１周波数のクロックを用いて割り込み信号のサンプリングを行い、プリアンブル内のユニークパターンを検出してビット同期を確立し、第２周波数のクロックを用いて割り込み信号を再生して前記シンクパターンを検出することである。
【０１５１】
ドアホン親機２００は、玄関子機１００−２からの同期要求を確認すると、各機器と同期通信するためのフレームタイミングを決定し（Ｓ８０５）、各機器に同期スロット信号を送信する（Ｓ８０６）。
【０１５２】
各機器は、同期スロット信号に従って、ドアホン親機２００と同期を取る（Ｓ８０７）。これにより、各機器とドアホン親機２００との間は、同期状態となる（Ｓ８０８）。
【０１５３】
その後、玄関子機１００−２は、制御データフィールドに画像接続要求が書き込まれた上りパケットを親機２００に送信することにより画像接続要求を行う（Ｓ８０９）。ドアホン親機２００は、画像接続要求を確認すると、制御データフィールドに画像接続確認が書き込まれた下りパケットを玄関子機１００−２に送信することにより画像接続確認を行う（Ｓ８１０）。以降、玄関子機１００−２が上りパケットによりドアホン親機２００に画像データを送信し、ドアホン親機２００が当該画像データを表示する画像データ通信状態となる（Ｓ８１１）。なお、玄関子機１００−２から送信された画像データは、ドアホン親機２００から他の機器（玄関子機１００−１、増設モニタ３００）に同報送信され、増設モニタ３００においても、画像データが表示可能になる。
【０１５４】
＜デューティ比補正部の内部構成＞
次に、玄関子機１００のデューティ比補正部１１６の内部構成の詳細について、図１８を用いて説明する。なお、その説明の際、本実施の形態の同期検出処理について理解を容易にするため、図１８と併せて図１９を用いる。
【０１５５】
図１８に示すように、デューティ比補正部１１６は、パターン総数計数部１６１、クロック数検出部１６２、補正要否判定部１６３およびタイミング調整部１６４を有する。
【０１５６】
パターン総数計数部１６１は、ユニークパターン以外の隣接する立下りエッジ間（あるいは、隣接する立上りエッジ間）検出用のクロックの第２規定数（例えば、「８」から「１２」）、および、デューティ比を補正するか否かを判定するために必要なパターンの総数（以下、「基準パターン総数」という）（例えば、「２４」）を記憶している。パターン総数計数部１６１は、第１のカウンタにより、プリアンブルの先頭のパターンから順に、隣接する立下りエッジ間（あるいは、隣接する立上りエッジ間）のクロックを計数し、当該クロック数が第２規定数のいずれかに一致した場合に、第２のカウンタをカウントアップさせる。そして、パターン総数計数部１６１は、第２のカウンタのカウント値が基準パターン総数に達した場合に、その旨を示す信号をクロック数検出部１６２に出力する。
【０１５７】
クロック数検出部１６２は、デューティ比の許容範囲に対応するクロック数の下限閾値（例えば「３」）および上限閾値（例えば「７」）を記憶している。クロック数検出部１６２は、プリアンブルの先頭のパターンから順に、立上りエッジから次の立下りエッジまでの区間（Ｈ（High）の期間）における第１周波数（48MHz）のクロックを計数する。そして、クロック数検出部１６２は、クロック数が下限閾値以下のパターン数（以下、「下限パターン数」という）と上限閾値以上のパターン数（以下、「上限パターン数」という）をそれぞれ計数する。そして、クロック数検出部１６２は、パターン総数計数部１６１から基準パターン総数に達した旨を示す信号を入力すると、下限パターン数および上限パターン数を補正要否判定部１６３に出力する。
【０１５８】
補正要否判定部１６３は、デューティ比補正を行うか否かの判定基準となる補正基準（例えば、「１６」）を記憶している。そして、補正要否判定部１６３は、クロック数検出部１６２から入力した下限パターン数が補正基準以上であれば、タイミング調整部１６４に対してデューティ比の増加を指示する。また、補正要否判定部１６３は、クロック数検出部１６２から入力した上限パターン数が補正基準以上であれば、タイミング調整部１６４に対してデューティ比の減少を指示する。なお、補正要否判定部１６３は、下限パターン数および上限パターン数のいずれも補正基準未満であれば、タイミング調整部１６４に対してデューティ比の維持を指示する。
【０１５９】
タイミング調整部１６４は、補正量に対応するクロック数（以下、「補正クロック数」という）（例えば、「１」）を記憶している。そして、タイミング調整部１６４は、補正要否判定部１６３からデューティ比の増加を指示されると、第１周波数のクロック（CLK）を使用し、スロット全体において（非同期通信時は全てのデータにおいて）、受信データの立下りのタイミングを補正クロック数だけ遅延させることにより、デューティ比を増加させてから（図１９（Ａ）参照）、受信データをデータ再生部１３３に出力する。また、タイミング調整部１６４は、補正要否判定部１６３からデューティ比の減少を指示されると、第１周波数のクロック（CLK）を使用し、スロット全体において（非同期通信時は全てのデータにおいて）、受信データの立上りのタイミングを補正クロック数だけ遅延させることにより、デューティ比を減少させてから（図１９（Ｂ）参照）、受信データをデータ再生部１３３に出力する。なお、タイミング調整部１６４は、補正要否判定部１６３からデューティ比の維持を指示されると、受信データをそのままデータ再生部１３３に出力する。
【０１６０】
なお、ドアホン親機２００のデューティ比補正部２４１および増設モニタ３００のデューティ比補正部３１６の内部構成も、図１８に示した玄関子機１００のデューティ比補正部１１６の内部構成と同一である。
【０１６１】
＜デューティ比補正処理のフロー＞
次に、玄関子機１００（デューティ比補正部１１６）におけるデューティ比補正処理のフローについて図２０を用いて説明する。
【０１６２】
ステップＳ９０１において、デューティ比補正部１１６は、クロック数検出部１６２により、プリアンブルの先頭のパターンから順に、Ｈの期間における第１周波数（48MHz）のクロックを計数する。このとき、デューティ比補正部１１６は、並行して、パターン総数計数部１６１により、プリアンブルの先頭のパターンから順に、隣接する立下りエッジ間（あるいは、隣接する立上りエッジ間）における第１周波数（48MHz）のクロックを計数し、当該クロック数が第２規定数のいずれかに一致するパターン数を計数する。
【０１６３】
そして、クロック数検出部１６２が計数したクロック数が下限閾値以下である場合（Ｓ９０２：ＹＥＳ）、下限パターン数をカウントアップする（Ｓ９０３）。また、クロック数検出部１６２が計数したクロック数が上限閾値以上である場合（Ｓ９０２：ＮＯ、Ｓ９０４：ＹＥＳ）、上限パターン数をカウントアップする（Ｓ９０５）。なお、クロック数検出部１６２が計数したクロック数が下限閾値よりも大きく上限閾値よりも小さい場合（Ｓ９０２：ＮＯ、Ｓ９０４：ＮＯ）、下限パターン数、上限パターン数のいずれもそのままとする。
【０１６４】
Ｓ９０１からＳ９０５のステップの後、パターン総数計数部１６１により計数されたパターン数が基準パターン総数に達した場合（Ｓ９０６：ＹＥＳ）、フローはＳ９０７に進む。なお、基準パターン総数に達しなかった場合（Ｓ９０６：ＮＯ）、フローはＳ９０１に戻る。
【０１６５】
ステップＳ９０７において、デューティ比補正部１１６は、補正要否判定部１６３により、下限パターン数、上限パターン数のチェックを行う。下限パターン数が補正基準以上である場合（Ｓ９０８：ＹＥＳ）、タイミング調整部１６４により受信データの立下りを補正クロック数だけ遅延させてデューティ比を補正する（Ｓ９０９）。また、上限パターン数が補正基準以上である場合（Ｓ９０８：ＮＯ、Ｓ９１０：ＹＥＳ）、タイミング調整部１６４により受信データの立上りを補正クロック数だけ遅延させてデューティ比を補正する（Ｓ９１１）。なお、下限パターン数および上限パターン数がいずれも補正基準未満である場合（Ｓ９０８：ＮＯ、Ｓ９１０：ＮＯ）、デューティ比の補正を行わない。
【０１６６】
＜各装置の動作＞
次に、各装置の動作について説明する。
【０１６７】
＜玄関子機の動作＞
図２１は、玄関子機１００の動作の一例を示すフローチャートである。
【０１６８】
ステップＳ１０１０において、制御部１０７は、呼出ボタンが操作されたか否かを判定する。制御部１０７は、呼出ボタンが操作された場合（Ｓ１０１０：ＹＥＳ）、フローをステップＳ１０２０へ進め、操作されていない場合（Ｓ１０１０：ＮＯ）、フローを後述のステップＳ１１００へ進める。
【０１６９】
ステップＳ１０２０において、制御部１０７は、呼出信号をドアホン親機２００へ送信する。
【０１７０】
ステップＳ１０３０において、制御部１０７は、ドアホン親機２００から応答信号を受信したか否かを判定する。制御部１０７は、応答信号を受信していない場合（Ｓ１０３０：ＮＯ）、フローをステップＳ１０２０へ戻し、応答信号を受信した場合（Ｓ１０３０：ＹＥＳ）、フローをステップＳ１０４０へ進める。なお、制御部１０７は、呼出信号を所定回数送信しても応答信号を受信しない場合、フローを、後述のステップＳ１１００へ進めてもよい。
【０１７１】
ステップＳ１０４０において、制御部１０７は、マイク１０４、音声Ｉ／Ｆ部１０５、およびカメラ部１０６を用いて、音声入力および映像撮影を開始する。また、制御部１０７は、パケット生成部１３２および送信データ処理部１０８を用いて、送信の対象となる各種データ（制御データ／デジタル音声データ／デジタル映像データ）のパケット化および符号化を開始する。なお、制御部１０７は、デジタル音声データおよびデジタル映像データの送信レート制御を行ってもよい。
【０１７２】
ステップＳ１０５０において、制御部１０７は、子機側送信区間であるか否かを判定する。制御部１０７は、送信区間である場合（Ｓ１０５０：ＹＥＳ）、フローをステップＳ１０６０へ進め、送信区間ではない場合（Ｓ１０５０：ＮＯ）、フローを後述のステップＳ１０７０へ進める。
【０１７３】
ステップＳ１０６０において、制御部１０７は、送信ドライバ１１０を用いて、符号化により生成された上り信号を、２線ケーブルを介してドアホン親機２００へ送信する。なお、制御部１０７は、送信区間が終了したとき、上り信号の送信を停止する。
【０１７４】
ステップＳ１０７０において、制御部１０７は、親機側送信区間であるか否かを判定する。制御部１０７は、送信区間である場合（Ｓ１０７０：ＹＥＳ）、フローをステップＳ１０８０へ進め、送信区間ではない場合（Ｓ１０７０：ＮＯ）、フローを後述のステップＳ１０９０へ進める。
【０１７５】
ステップＳ１０８０において、制御部１０７は、下り信号の受信、各種データ（制御データ／音声データ）の抽出、および音声の出力を開始する。なお、制御部１０７は、送信区間が終了したとき、下り信号の受信あるいは各種データの抽出を停止する。
【０１７６】
ステップＳ１０９０において、制御部１０７は、玄関子機１００とドアホン親機２００との間の通話が終了したか否かを判定する。例えば、制御部１０７は、ドアホン親機２００で通話終了の操作が行われたことを示す信号をドアホン親機２００から受信したとき、通話が終了したと判定する。制御部１０７は、通話が終了していない場合（Ｓ１０９０：ＮＯ）、フローをステップＳ１０５０へ戻し、通話が終了した場合（Ｓ１０９０：ＹＥＳ）、フローをステップＳ１１００へ進める。
【０１７７】
ステップＳ１１００において、制御部１０７は、ドアホン機能に関する処理の終了を指示されたかを判定する。例えば、制御部１０７は、ドアホン親機２００でドアホン機能の停止の操作が行われたことを示す信号をドアホン親機２００から受信したとき、上記処理の終了を指示されたと判定する。制御部１０７は、上記処理の終了を指示されていない場合（Ｓ１１００：ＮＯ）、フローをステップＳ１０１０へ戻し、上記処理の終了を指示された場合（Ｓ１１００：ＹＥＳ）、一連の処理を終了する。
【０１７８】
＜ドアホン親機の動作＞
図２２は、ドアホン親機２００の動作の一例を示すフローチャートである。
【０１７９】
ステップＳ２０１０において、制御部２０７は、玄関子機１００から呼出信号を受信したか否かを判定する。制御部２０７は、呼出信号を受信した場合（Ｓ２０１０：ＹＥＳ）、フローをステップＳ２０２０へ進め、呼出信号を受信していない場合（Ｓ２０１０：ＮＯ）、フローを後述のステップＳ２０９０へ進める。
【０１８０】
ステップＳ２０２０において、制御部２０７は、応答信号を玄関子機１００へ送信するとともに、音声Ｉ／Ｆ部２０５およびスピーカ２０３を用いて、呼出音を出力する。
【０１８１】
ステップＳ２０３０において、制御部２０７は、マイク２０４および音声Ｉ／Ｆ部２０５を用いて、音声入力を開始する。また、制御部２０７は、パケット生成部２３２および送信データ処理部２０８を用いて、送信の対象となる各種データ（制御データ／デジタル音声データ）のパケット化および符号化を開始する。なお、制御部２０７は、デジタル音声データの送信レート制御を行ってもよい。
【０１８２】
ステップＳ２０４０において、制御部２０７は、子機側送信区間であるか否かを判定する。制御部２０７は、送信区間である場合（Ｓ２０４０：ＹＥＳ）、フローをステップＳ２０５０へ進め、送信区間ではない場合（Ｓ２０４０：ＮＯ）、フローを後述のステップＳ２０６０へ進める。
【０１８３】
ステップＳ２０５０において、制御部２０７は、上り信号の受信および各種データ（制御データ／音声データ／映像データ）の抽出を開始する。また、制御部２０７は、音声Ｉ／Ｆ部２０５、スピーカ２０３および液晶ディスプレイを用いて、音声および映像の出力を開始する。なお、制御部２０７は、送信区間が終了したとき、上り信号の受信あるいは各種データの抽出を停止する。
【０１８４】
ステップＳ２０６０において、制御部２０７は、親機側送信区間であるか否かを判定する。制御部２０７は、送信区間である場合（Ｓ２０６０：ＹＥＳ）、フローをステップＳ２０７０へ進め、送信区間ではない場合（Ｓ２０６０：ＮＯ）、フローを後述のステップＳ２０８０へ進める。
【０１８５】
ステップＳ２０７０において、制御部２０７は、送信ドライバ２１０を用いて、符号化により生成された下り信号を、２線ケーブルを介して玄関子機１００へ送信する。但し、制御部２０７は、上述の通り、応答ボタンが操作されるまでは、デジタル音声データの送信を行わないことが望ましい。なお、制御部２０７は、送信区間が終了したとき、下り信号の送信を停止する。
【０１８６】
ステップＳ２０８０において、制御部２０７は、玄関子機１００とドアホン親機２００との間の通話が終了したか否かを判定する。例えば、制御部２０７は、ドアホン親機２００で通話終了の操作が行われたこと検知したとき、通話が終了したと判定する。なお、制御部２０７は、かかる通話終了の操作が行われたとき、その旨を示す信号を玄関子機１００に送信することが望ましい。制御部２０７は、通話が終了していない場合（Ｓ２０８０：ＮＯ）、フローをステップＳ２０４０へ戻し、通話が終了した場合（Ｓ２０８０：ＹＥＳ）、フローをステップＳ２０９０へ進める。
【０１８７】
ステップＳ２０９０において、制御部２０７は、ドアホン機能に関する処理の終了を指示されたかを判定する。例えば、制御部２０７は、ドアホン親機２００でドアホン機能の停止の操作が行われたことを検知したとき、上記処理の終了を指示されたと判定する。なお、制御部２０７は、かかるドアホン機能の停止の操作が行われたとき、その旨を示す信号を玄関子機１００に送信することが望ましい。制御部２０７は、上記処理の終了を指示されていない場合（Ｓ２０９０：ＮＯ）、フローをステップＳ２０１０へ戻し、上記処理の終了を指示された場合（Ｓ２０９０：ＹＥＳ）、一連の処理を終了する。
【０１８８】
＜通常動作時のルーティング制御＞
次に、本実施の形態に係るドアホン親機２００の通常動作時のルーティング制御の具体例について、図２３、図２４を用いて説明する。図２３の例では、ドアホン親機２００（制御部２０７（図２３では「親機制御部」と記載））が、いずれかのＤＲＶ（送信ドライバ（Ｔｘ）と受信ドライバ（Ｒｘ）のセット）１〜５を介して５個の機器（玄関子機１００、増設モニタ３００、他のドアホンシステムの親機）と接続している場合を示している。この場合、７種類の設定パターン（Ｐ１〜Ｐ７）が用意される。図２４は、ルーティング制御部２１２の内部構成を示す図である。図２４に示すように、ルーティング制御部２１２は、内部に、デューティ比補正部２４１、切替スイッチ２１２１およびＯＲ回路２１２２を有する。
【０１８９】
設定パターンＰ１は、ドアホン親機２００がいずれの機器ともデータの送受を行っていない待機状態におけるルーティング（通信ルートの有効／無効）を示す。設定パターンＰ１では、ドアホン親機２００は、受信モード（送信を行わず、受信のみを行うモード）となり、制御部２０７は、図２３に示すように受信モードであるため、SPI-RWの制御により、切替スイッチ２１２１の端子Ｔ３をＴ２に接続し、各機器からのデータ受信が可能となるように各ＤＲＶの受信ドライバ（Ｒｘ）を有効にし、各接続機器からの割り込みを待っている状態となる。なお、設定パターンＰ１で、各接続機器からの割り込みを待っている状態において、すべてのＤＲＶの受信ドライバ（Ｒｘ）の出力は「Ｌ」とする。
【０１９０】
待機状態において、いずれかの機器から非同期の割り込み信号を受信した場合、ドアホン親機２００は、当該割り込み信号を送信した機器との間で同期を確立する。例えば、ドアホン親機２００は、ＤＲＶ１から割り込み信号を受信した場合、ＤＲＶ１と接続する機器と同期を確立し、データの送受を行う（Ｐ２（送信時）またはＰ３（受信時）に移行する）。
【０１９１】
設定パターンＰ２は、ドアホン親機２００が全ての機器に対してデータを送信する一斉送信時（Broadcast）におけるルーティングを示す。設定パターンＰ２では、ドアホン親機２００は、送信モード（受信を行わず、送信のみを行うモード）となり、制御部２０７は、切替スイッチ２１２１の端子Ｔ３を端子Ｔ１と接続させ、各機器へのデータ送信が可能となるように各ＤＲＶの送信ドライバ（Ｔｘ）を有効にする。このとき、いずれかの機器からドアホン親機２００にデータが送信されても、各ＤＲＶにおいて受信できず、親機２００において当該データは破棄される。なお、設定パターンＰ２では、ドアホン親機２００が、接続中のすべての機器に対してデータ送信を行うが、下りパケットの制御データフィールドには通信相手の機器の識別子のみが記載されているため、他の機器は、データを受信しても破棄する。なお、設定パターンＰ２で、すべてのＤＲＶの受信ドライバ（Ｒｘ）の出力は「Ｌ」とする。
【０１９２】
設定パターンＰ３からＰ７は、ドアホン親機２００がいずれか１つの機器からデータを受信する個別受信時におけるルーティングを示す。設定パターンＰ３からＰ７では、ドアホン親機２００は受信モードとなり、制御部２０７は、切替スイッチ２１２１の端子Ｔ３を端子Ｔ２と接続させ、各設定パターンに対応する１つのＤＲＶの受信ドライバ（Ｒｘ）を有効にし、他のＤＲＶの送信ドライバ（Ｔｘ）を有効にする。これにより、ドアホン親機２００は、受信ドライバ（Ｒｘ）が選択されたＤＲＶから受信したデータを、ルーティング制御部２１２において、制御部２０７（ＣＰＵ）に出力すると同時に、当該データをそのまま、送信ドライバ（Ｔｘ）が選択されたすべてのＤＲＶに接続されている他の機器に同報送信することができる。したがって、同報送信する際に、受信データをデコードして解析する必要がない。なお、送信ドライバ（Ｔｘ）が選択されているすべてのＤＲＶの受信ドライバ（Ｒｘ）の出力は「Ｌ」とする。
【０１９３】
例えば、ドアホン親機２００が、玄関子機１００のデータをＤＲＶ２から受信する場合、制御部２０７は、ＤＲＶ２の受信ドライバ（Ｒｘ）を有効とし、他のＤＲＶの送信ドライバ（Ｔｘ）を有効にする。この場合、玄関子機１００からのデータは、ＤＲＶ２から受信され、ルーティング制御部２１２のＯＲ回路２１２２を通り、デコード用として制御部２０７へ出力される。さらに、ＯＲ回路２１２２を通ったデータは、切替スイッチ２１２１を経由して、ＤＲＶ１、３、４、５に送信され、各接続機器に同報送信される。その際、ＤＲＶ２は、受信ドライバ（Ｒｘ）のみが有効であり、送信ドライバ（Ｔｘ）が無効であるため、ＯＲ回路２１２２を通ったデータは、ＤＲＶ２からは同報送信されない。また、この時、他の機器からドアホン親機２００にデータが送信されても、ＤＲＶ１、３、４、５において受信できず、親機２００において当該データは破棄される。
【０１９４】
＜初期登録時のルーティング制御＞
次に、本実施の形態に係るドアホン親機２００の初期登録時のルーティング制御の具体例について、図２４、図２５を用いて説明する。図２５の例では、ドアホン親機２００（制御部２０７（図２５では「親機制御部」と記載））が、いずれかのＤＲＶ１〜５を介して５個の機器と接続している場合を示している。この場合、５種類の設定パターン（ＥＰ１〜ＥＰ５）が用意される。
【０１９５】
設定パターンＥＰ１からＥＰ５は、ドアホン親機２００がいずれか１つの機器を登録する初期登録時におけるルーティングを示す。設定パターンＥＰ１からＥＰ５では、ドアホン親機２００は送信モードとなり、制御部２０７は、切替スイッチ２１２１の端子Ｔ３を端子Ｔ１と接続させ、登録対象の機器に対応するＤＲＶの送信ドライバ（Ｔｘ）を有効にし、他のＤＲＶの受信ドライバ（Ｒｘ）を有効にする。これにより、ドアホン親機２００は、パケットを送信する区間において、登録対象以外の機器に対してパケットの送信を行わず、登録対象の機器のみにパケットの送信を行うことができる。なお、このとき、他のＤＲＶの受信ドライバ（Ｒｘ）が有効になるが、ドアホン親機２００が送信の場合は、全ての機器からのパケットの受信を遮断する論理とし、それらのＤＲＶからのパケットの受信を受け付けない（SPI-RWで制御部２０７は送信を選択する）。なお、各登録対象の機器からドアホン親機２００へのパケットの送信は、図２３のＰ３からＰ７の設定を使用する。この場合、他接続機器への同報送信の機能が働くが、ドアホン親機２００のみへの送信であるため、他接続機器はこれを無視する。これにより、ドアホン親機２００が、各玄関子機１００等の登録対象機器と１対１に通信することができる。なお、送信ドライバ（Ｔｘ）が選択されているすべてのＤＲＶの受信ドライバ（Ｒｘ）の出力は「Ｌ」とする。また、ＤＲＶの受信ドライバ（Ｒｘ）が選択され、各接続機器からの割り込みを待っている状態においては、受信ドライバ（Ｒｘ）の出力は「Ｌ」とする。
【０１９６】
＜本実施の形態の効果＞
以上のように、本実施の形態では、受信波形のデューティ比を検出して補正することができるので、受信波形のデューティ比にずれが生じていても、受信データを正しく復号することができる。
【０１９７】
なお、本実施の形態では、受信データのプリアンブルの期間中に、デューティ比の補正の要否を判断し、デューティ比の補正が必要な場合に、受信データに対して、プリアンブルのユニークパターンの前からデューティ比の補正を行う。これにより、デューティ比の補正処理時に発生する不連続等が、再生不要なプリアンブルの期間中にのみ発生するため、制御データおよびユーザデータをデューティ比の補正処理が完了した状態で再生でき、受信データの信頼性をより高めることができる。
【０１９８】
また、本実施の形態では、ドアホン親機２００において、接続機器の１つから受信した受信データを、デューティ比補正部２４１を通過させて、制御部２０７に出力するとともに、他の接続機器に同報送信する。これにより、デューティ比が許容範囲外にある受信データを、送信先で受け取れるまでにハード的にデューティ比をリカバリーしてから同報送信することができるので、同報送信先の装置において従来では受信できなかったデータも受信できるようになる。
【０１９９】
なお、上記の説明では、玄関子機１００からの画像データを、親機２００、増設モニタ３００、他のドアホンシステムの親機等、複数の機器に同報送信し、各機器において画像を同時に表示させる場合について説明したが、本発明はこれに限られず、例えば、緊急メッセージを、玄関子機１００の呼出ボタンの長押し等の処理によって発生させ、この緊急メッセージを複数の機器に同報送信し、各機器からアラームを出力させるようにしても良い。なお、本実施の形態では、ドアホン親機２００と玄関子機１００などの接続機器同士の接続を一例として説明したが、本発明はこれに限られない。例えば、その他の応用機器として、ビジネスホン（内線電話機と制御装置間）、ホームセキュリティ装置（各種センサーノードと制御装置間）等の制御装置（通信装置）などであっても、同様の効果が得られる。
【産業上の利用可能性】
【０２００】
本開示は、カメラ付きの玄関子機とドアホン親機とからなるドアホンシステムに用いるに好適である。
【符号の説明】
【０２０１】
１  ドアホンシステム
１００  玄関子機
１０１、２０１、３０１  ケーブル接続部
１０２、２０２、３０２  キー入力部
１０３、２０３、３０３  スピーカ
１０４、２０４、３０４  マイク
１０５、２０５、３０５  音声Ｉ／Ｆ部
１０６  カメラ部
１０７、２０７、３０７  制御部
１０８、２０８、３０８  送信データ処理部
１０９、２０９、３０９  送信データ反転部
１１０、２１０、３１０  送信ドライバ
１１１、２１１、３１１  受信ドライバ
１１２、３１２  受信データ反転部
１１３、１１３ａ、２１３、３１３  同期検出部
１１４、２１４、３１４  第２クロック生成部
１１５、２１５、３１５  識別子記憶部
１１６、２４１、３１６  デューティ比補正部
１３１、２３１、３３１  第１クロック生成部
１３２、２３２、３３２  パケット生成部
１３３、２３３、３３３  データ再生部
１３４、２３４、３３４  接続状態検出部
１５１  第１のユニークパターン検出部
１５２  第２のユニークパターン検出部
１５３  イネーブル信号生成部
１５４  繰り返しパターン数検出部
１６１  パターン総数計数部
１６２  クロック数検出部
１６３  補正要否判定部
１６４  タイミング調整部
２００  ドアホン親機
２０６、３０６  ディスプレイ部
２１２  ルーティング制御部
２３５  識別子設定部
３００  増設モニタ
【要約】
【課題】受信波形のデューティ比にずれが生じていても受信データを正しく復号すること。
【解決手段】クロック数検出部１６２は、Ｈの期間における第１周波数のクロックが下限閾値以下のパターンおよび上限閾値以上のパターンを計数する。補正要否判定部１６３は、タイミング調整部１６４に対して、基準パターン総数において、下限閾値以下のパターン数が補正基準以上であれば、デューティ比の増加を指示し、上限閾値以上のパターン数が補正基準以上であれば、デューティ比の減少を指示する。タイミング調整部１６４は、補正要否判定部１６３の指示により、受信データの立下りあるいは立上りのタイミングを調整してデューティ比を補正する。
【選択図】図１８【図１】
0005983975.tif 000002
【図２Ａ】
0005983975.tif 000003
【図２Ｂ】
0005983975.tif 000004
【図３】
0005983975.tif 000005
【図４】
0005983975.tif 000006
【図５】
0005983975.tif 000007
【図６】
0005983975.tif 000008
【図７】
0005983975.tif 000009
【図８】
0005983975.tif 000010
【図９】
0005983975.tif 000011
【図１０】
0005983975.tif 000012
【図１１】
0005983975.tif 000013
【図１２】
0005983975.tif 000014
【図１３】
0005983975.tif 000015
【図１４】
0005983975.tif 000016
【図１５】
0005983975.tif 000017
【図１６】
0005983975.tif 000018
【図１７】
0005983975.tif 000019
【図１８】
0005983975.tif 000020
【図１９】
0005983975.tif 000021
【図２０】
0005983975.tif 000022
【図２１】
0005983975.tif 000023
【図２２】
0005983975.tif 000024
【図２３】
0005983975.tif 000025
【図２４】
0005983975.tif 000026
【図２５】
0005983975.tif 000027